(57)【要約】      （修正有）【課題】伝送効率の低減を防止しつつ、周波数クリッピングを行うことができる。【解決手段】クリッピング／離散配置切替部１１は、制御情報受信部１００より入力された割当情報に基づいてＤＦＴサイズを示すＤＦＴサイズ情報を生成し、生成したＤＦＴサイズ情報をＤＦＴ部１２２に出力する。クリッピング／離散配置切替部１１は、制御情報受信部１００より入力された割当情報に基づいてクリッピング制御情報を生成し、生成したクリッピング制御情報をクリッピング部１２３に出力する。ここで、クリッピング／離散配置切替部１１は、ＤＦＴサイズ情報及びクリッピング制御情報を用いてＤＦＴ部１２２及びクリッピング部１２３を制御することにより、周波数クリッピングを行って信号を送信するか、又は、周波数クリッピングを行わないで離散配置によって信号を送信するか、の切り替えを行う。【選択図】図５
2012175335.tif 000002
【特許請求の範囲】
【請求項１】
信号を送信する第１の通信装置と、該信号を受信する第２の通信装置とを備える無線通信システムであって、
前記第２の通信装置は、前記第１の通信装置がデータの送信に用いる周波数帯域を示す制御情報を、前記第１の通信装置に送信し、
前記第１の通信装置は、前記制御情報に基づいて、送信する信号の一部のスペクトルを削除する周波数クリッピングを行うか否かを決定することを特徴とする無線通信システム。
【請求項２】
前記制御情報は、第１の通信装置が送信する信号のスペクトルを、周波数において離散的に配置することを示す情報であることを特徴とする無線通信システム。
【請求項３】
前記第１の通信装置は、前記制御情報が示す周波数帯域が所定の条件を満たすか否かに基づき、前記周波数クリッピングを行うか否かを決定することを特徴とする請求項１又は請求項２に記載の無線通信システム。
【請求項４】
前記第１の通信装置は、前記制御情報が示す周波数帯域から算出可能なクリッピング率が閾値より小さい場合には周波数クリッピングを行うことを決定し、閾値より高い場合には周波数クリッピングを行わないことを決定することを特徴とする請求項３に記載の無線通信システム。
【請求項５】
前記クリッピング率は、前記制御情報が示す周波数帯域が、複数のクラスタに分割して割り当てられる離散配置であった場合に、クラスタ間となる帯域の全てをクリッピングによる欠落とみなした場合に算出される比率であることを特徴とする請求項４に記載の無線通信システム。
【請求項６】
前記クリッピング率は、前記制御情報が示す周波数帯域が、複数のクラスタに分割して割り当てられる離散配置であった場合に、クラスタ間となる帯域のうち最もクラスタ間間隔が狭い帯域をクリッピングによる欠落とみなした場合に算出される比率であることを特徴とする請求項４に記載の無線通信システム。
【請求項７】
前記所定の閾値は、前記第１の通信装置と、前記第２の通信装置との間で共通に定められる一定値であることを特徴とする請求項４に記載の無線通信システム。
【請求項８】
前記所定の閾値は、前記第１の通信装置と、前記第２の通信装置との間で既知である情報に基づいて設定される値であることを特徴とする請求項４に記載の無線通信システム。
【請求項９】
前記既知の情報は、前記第１の通信装置が伝送の際に使用するＭＣＳ情報であることを特徴とする請求項８に記載の無線通信システム。
【請求項１０】
前記既知の情報は、前記第１の通信装置が伝送の際に使用するＭＩＭＯのランク情報であることを特徴とする請求項８に記載の無線通信システム。
【請求項１１】
信号を送信する第１の通信装置と、該信号を受信する第２の通信装置とを備える無線通信システムにおける無線通信方法において、
前記第２の通信装置が、前記第１の通信装置がデータの送信に用いる周波数帯域を示す制御情報を、前記第１の通信装置に送信する過程と、
前記第１の通信装置が、前記制御情報に基づいて、送信する信号の一部のスペクトルを削除する周波数クリッピングを行うか否かを決定する過程と、
を有することを特徴とする無線通信方法。
【請求項１２】
信号を送信する送信装置において、
前記送信装置がデータの送信に用いる周波数帯域を示す制御情報に基づいて、送信する信号の一部のスペクトルを削除する周波数クリッピングを行うか否かを決定することを特徴とする送信装置。
【請求項１３】
送信装置がデータの送信に用いる周波数帯域を示す制御情報に基づいて、前記送信装置が送信する信号の一部のスペクトルを削除する周波数クリッピングを行うか否かを決定することを特徴とするプロセッサ。
【発明の詳細な説明】
【技術分野】
【０００１】
本発明は、無線通信システム、無線通信方法、送信装置、及びプロセッサに関する。
【背景技術】
【０００２】
近年、携帯電話機や無線ＬＡＮ（Ｌｏｃａｌ  Ａｒｅａ  Ｎｅｔｗｏｒｋ）を主として、様々な無線通信システムが実用化され、各システムにおいて高速伝送化の技術検討が行われている。しかしながら、無線通信システムの多種化及び各システムの広帯域化が進むに伴い、使用可能な周波数資源が逼迫するという問題が発生している。この様な状況においてスループット改善を実現するために周波数当りの利用効率改善を図る技術が検討されている。
第３．９世代の無線通信システムであるＬＴＥ（Ｌｏｎｇ  Ｔｅｒｍ  Ｅｖｏｌｕｔｉｏｎ）システムのアップリンク（移動局から基地局への通信）では、シングルキャリアを連続した周波数に割り当てるＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられている。なお、ＳＣ−ＦＤＭＡはＤＦＴ−Ｓ−ＯＦＤＭ（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）やＤＦＴ−ｐｒｅｃｏｄｅｄ  ＯＦＤＭや、ＯＦＤＭ  ｗｉｔｈ  ＤＦＴ  Ｐｒｅｃｏｄｉｎｇ等とも称される。
【０００３】
このＳＣ−ＦＤＭＡ方式に対し、ＬＴＥの次世代後継規格となるＬＴＥ−Ａ（ＬＴＥ−Ａｄｖａｎｃｅｄ）の伝送方式では、シングルキャリアのスペクトルを周波数領域においてクラスタと呼ばれる部分スペクトルに分割し、各クラスタを利得の高い帯域に離散的に配置するＣｌｕｓｔｅｒｅｄ  ＤＦＴ−Ｓ−ＯＦＤＭ（ＤＳＣ（Ｄｙｎａｍｉｃ  Ｓｐｅｃｔｒｕｍ  Ｃｏｎｔｒｏｌ：ダイナミックスペクトル制御)、ＳＣ−ＡＳＡ（Ｓｉｎｇｌｅ  Ｃａｒｒｉｅｒ  Ａｄａｐｔｉｖｅ  Ｓｐｅｃｔｒｕｍ  Ａｌｌｏｃａｔｉｏｎ）、ＤＦＴ−Ｓ−ＯＦＤＭ  ｗｉｔｈ  ＳＤＣ（Ｓｐｅｃｔｒｕｍ  Ｄｉｖｉｓｉｏｎ  Ｃｏｎｔｒｏｌ）等とも称される）の採用が決定している。Ｃｌｕｓｔｅｒｅｄ  ＤＦＴ−Ｓ−ＯＦＤＭでは、通信装置は、クラスタごとの割当位置を通知する必要がある。非特許文献１には、最大クラスタ数を２として帯域割当情報の通知手法が開示されている（非特許文献１の図４参照）。
【０００４】
また、特許文献１には、周波数クリッピング技術（Ｃｌｉｐｐｅｄ  ＤＦＴ−Ｓ−ＯＦＤＭ、周波数領域パンクチャリング等とも称される）を適用した無線通信システムが開示されている。周波数クリッピング技術では、送信装置において周波数領域信号の帯域の一部をクリッピング（削除）し、受信装置において非線形繰り返し等化処理を用いる。
【先行技術文献】
【特許文献】
【０００５】
【特許文献１】特開２００８−２１９１４４号公報
【非特許文献】
【０００６】
【非特許文献１】３ＧＰＰ  ＴＳＧ  ＲＡＮ  ＷＧ１  Ｍｅｅｔｉｎｇ  #６１ｂｉｓ  Ｒ１−１０４０１９
【発明の概要】
【発明が解決しようとする課題】
【０００７】
しかしながら、特許文献１記載の技術では、各データ系列別の使用周波数帯域を送信装置に通知するため、制御情報量が増加し、通信システムでの伝送効率が低下する問題がある。
【０００８】
本発明は、このような事情に鑑みてなされたもので、伝送効率の低減を防止しつつ、周波数クリッピングを行うことができる無線通信システム、通信装置、通信方法、及び、プロセッサを提供する。
【０００９】
本発明は上記の点に鑑みてなされたものであり、無線通信システム、無線通信方法、送信装置、及びプロセッサを提供する。
【課題を解決するための手段】
【００１０】
（１）本発明は上記の課題を解決するためになされたものであり、本発明の一態様は、信号を送信する第１の通信装置と、該信号を受信する第２の通信装置とを備える無線通信システムであって、前記第２の通信装置は、前記第１の通信装置がデータの送信に用いる周波数帯域を示す制御情報を、前記第１の通信装置に送信し、前記第１の通信装置は、前記制御情報に基づいて、送信する信号の一部のスペクトルを削除する周波数クリッピングを行うか否かを決定することを特徴とする無線通信システムである。
【００１１】
（２）また、本発明の一態様は、上記の無線通信システムにおいて、前記制御情報は、第１の通信装置が送信する信号のスペクトルを、周波数において離散的に配置することを示す情報であることを特徴とする。
【００１２】
（３）また、本発明の一態様は、上記の無線通信システムにおいて、前記第１の通信装置は、前記制御情報が示す周波数帯域が所定の条件を満たすか否かに基づき、前記周波数クリッピングを行うか否かを決定することを特徴とする。
【００１３】
（４）また、本発明の一態様は、上記の無線通信システムにおいて、前記第１の通信装置は、前記制御情報が示す周波数帯域から算出可能なクリッピング率が閾値より小さい場合には周波数クリッピングを行うことを決定し、閾値より高い場合には周波数クリッピングを行わないことを決定することを特徴とする。
【００１４】
（５）また、本発明の一態様は、上記の無線通信システムにおいて、前記クリッピング率は、前記制御情報が示す周波数帯域が、複数のクラスタに分割して割り当てられる離散配置であった場合に、クラスタ間となる帯域の全てをクリッピングによる欠落とみなした場合に算出される比率であることを特徴とする。
【００１５】
（６）また、本発明の一態様は、上記の無線通信システムにおいて、前記クリッピング率は、前記制御情報が示す周波数帯域が、複数のクラスタに分割して割り当てられる離散配置であった場合に、クラスタ間となる帯域のうち最もクラスタ間間隔が狭い帯域をクリッピングによる欠落とみなした場合に算出される比率であることを特徴とする。
【００１６】
（７）また、本発明の一態様は、上記の無線通信システムにおいて、前記所定の閾値は、前記第１の通信装置と、前記第２の通信装置との間で共通に定められる一定値であることを特徴とする。
【００１７】
（８）また、本発明の一態様は、上記の無線通信システムにおいて、前記所定の閾値は、前記第１の通信装置と、前記第２の通信装置との間で既知である情報に基づいて設定される値であることを特徴とする。
【００１８】
（９）また、本発明の一態様は、上記の無線通信システムにおいて、前記既知の情報は、前記第１の通信装置が伝送の際に使用するＭＣＳ情報であることを特徴とする
【００１９】
（１０）また、本発明の一態様は、上記の無線通信システムにおいて、前記既知の情報は、前記第１の通信装置が伝送の際に使用するＭＩＭＯのランク情報であることを特徴とする。
【００２０】
（１１）また、本発明の一態様は、信号を送信する第１の通信装置と、該信号を受信する第２の通信装置とを備える無線通信システムにおける無線通信方法において、前記第２の通信装置が、前記第１の通信装置がデータの送信に用いる周波数帯域を示す制御情報を、前記第１の通信装置に送信する過程と、前記第１の通信装置が、前記制御情報に基づいて、送信する信号の一部のスペクトルを削除する周波数クリッピングを行うか否かを決定する過程と、を有することを特徴とする無線通信方法である。
【００２１】
（１２）また、本発明の一態様は、信号を送信する送信装置において、前記送信装置がデータの送信に用いる周波数帯域を示す制御情報に基づいて、送信する信号の一部のスペクトルを削除する周波数クリッピングを行うか否かを決定することを特徴とする送信装置である。
【００２２】
（１３）また、本発明の一態様は、送信装置がデータの送信に用いる周波数帯域を示す制御情報に基づいて、前記送信装置が送信する信号の一部のスペクトルを削除する周波数クリッピングを行うか否かを決定することを特徴とするプロセッサである。
【発明の効果】
【００２３】
本発明によれば、伝送効率の低減を防止しつつ、周波数クリッピングを行うことができる。
【図面の簡単な説明】
【００２４】
【図１】本発明の第１の実施形態に係る割当情報に用いられる割当インデックスの一例について説明する説明図である。
【図２】本実施形態に係る離散配置におけるスペクトルの配置の一例を示す概略図である。
【図３】本実施形態に係る周波数クリッピングによるスペクトルの配置の一例を示す概略図である。
【図４】本実施形態に係る無線通信システムの一例を示す概略図である。
【図５】本実施形態に係る送信装置の構成の一例を示す概略ブロック図である。
【図６】本実施形態に係るクリッピング／離散配置切替部の構成の一例を示す概略ブロック図である。
【図７】本実施形態に係るクリッピング判定部の動作の一例を示すフローチャートである。
【図８】本実施形態に係る受信装置の構成の一例を示す概略ブロック図である。
【図９】本実施形態に係るクリッピング／離散配置判定部の構成の一例を示す概略ブロック図である。
【図１０】本実施形態に係るクリッピング判定部の動作の一例を示すフローチャートである。
【図１１】変形例２に係る無線通信システムの一例を示す概略図である。
【図１２】本変形例に係る送信装置の構成の一例を示す概略ブロック図である。
【図１３】本変形例に係るプリコーディング行列の一例を示す概略図である。
【図１４】本変形例に係る受信装置の構成の一例を示す概略ブロック図である。
【図１５】本発明の第２の実施形態に係る閾値テーブルの一例を示す概略図である。
【図１６】本実施形態に係る送信装置の構成の一例を示す概略ブロック図である。
【図１７】本実施形態に係るクリッピング／離散配置切替部の構成の一例を示す概略ブロック図である。
【図１８】本実施形態に係る受信装置の構成の一例を示す概略ブロック図である。
【図１９】本実施形態に係るクリッピング／離散配置判定部の構成の一例を示す概略ブロック図である。
【図２０】変形例３に係る閾値テーブルの一例を示す概略図である。
【図２１】本変形例に係る送信装置の構成の一例を示す概略ブロック図である。
【図２２】本変形例に係るクリッピング／離散配置切替部の構成の一例を示す概略ブロック図である。
【図２３】本変形例に係る受信装置の構成の一例を示す概略ブロック図である。
【図２４】本変形例に係るクリッピング／離散配置判定部の構成の一例を示す概略ブロック図である。
【図２５】本発明の第３の実施形態に係るスペクトルの配置の一例を示す概略図である。
【図２６】本実施形態に係るクリッピング／離散配置切替部の構成の一例を示す概略ブロック図である。
【図２７】本実施形態に係るクリッピング／離散配置判定部の構成の一例を示す概略ブロック図である。
【発明を実施するための形態】
【００２５】
以下、本発明の実施形態について図面を参照して説明する。なお、以下の実施形態では上り回線の通信を対象としているが、同一の手法を下り回線に用いても良い。すなわち、周波数クリッピングを行うか否かを決定する際に用いられる割当情報、あるいはＭＣＳといった制御情報は、送信装置と受信装置のどちらで生成されても良く、送信装置から受信装置に通知されるものであって良い。
【００２６】
（第１の実施形態）
第１の実施形態に係る無線通信システムは、マッピング情報（割当情報）と予め定められた閾値に基づいて、周波数クリッピングと離散配置の切り替えを行う。つまり、本実施形態では、２つのクラスタの割当位置を示す離散配置の割当情報が与えられた際に、所定の条件に基づいて、離散配置によるスペクトル配置と周波数クリッピングを用いたスペクトル配置とを切り替える。クラスタとは、シングルキャリアを離散配置する際に連続して割り当てられる部分スペクトルのことをいう。
【００２７】
図１を用いて、離散配置の割当情報が与えられた際に導出可能な４つの割当インデックス情報（割当開始インデックス、割当終了インデックス）について説明する。図１は、本発明の第１の実施形態に係る割当情報に用いられる割当インデックスの一例について説明する説明図である。本実施形態では、割当インデックスはスペクトルを割当可能な帯域内で、周波数の低い順に何番目の割当単位（リソース）であるかを示す値としている。
図１に示されるように、第１のクラスタと第２のクラスタを周波数軸上に割り当てる場合、第１のクラスタの割当開始インデックス（Ｉ１＿ｓｔａｒｔ）と割当終了インデックス（Ｉ１＿ｅｎｄ）、及び第２のクラスタの割当開始インデックス（Ｉ２＿ｓｔａｒｔ）と割当終了インデックス（Ｉ２＿ｅｎｄ）が用いられる。
【００２８】
これらの割当インデックスが判れば、無線通信システムの装置は、割当位置を特定することができる。つまり、割当インデックス情報は、複数の連続する周波数帯域を離散的に割り当てた場合の割当を表す情報である。離散配置の割当情報は、これらの４つの割当インデックスを特定する情報（割当インデックス情報）を含む。
この割当インデックス情報より、第１のクラスタを配置するリソース数Ｎ１（＝Ｉ１＿ｅｎｄ−Ｉ１＿ｓｔａｒｔ＋１）、第２のクラスタを配置するリソース数Ｎ２（＝Ｉ２＿ｅｎｄ−Ｉ２＿ｓｔａｒｔ＋１）及びクラスタ間のリソース数Ｎｉｎｔ（＝Ｉ２＿ｓｔａｒｔ−Ｉ１＿ｅｎｄ−１）が算出され、さらに合計のクラスタ、すなわちシングルキャリアスペクトルを配置するリソース数Ｎａｌｌｏｃ（＝Ｎ１＋Ｎ２）が算出される。
【００２９】
図２に、図１の４つの割当インデックス情報が与えられた場合の離散配置におけるスペクトル配置を示す。図２は、本実施形態に係る離散配置におけるスペクトルの配置の一例を示す概略図である。図２の場合、第１のクラスタのリソース数Ｎ１と第２のクラスタのリソース数Ｎ２を加算したものがＮａｌｌｏｃとなる。このＮａｌｌｏｃの長さの送信信号の帯域幅を、ＤＦＴ（Ｄｉｓｃｒｅｔｅ  Ｆｏｕｒｉｅｒ  Ｔｒａｎｓｆｏｒｍ：離散フーリエ変換）により周波数領域のスペクトルに変換した際の帯域幅（ＤＦＴサイズ、ＤＦＴポイントとも称される）ＮＤ＿ＤＦＴとする。送信装置１は、このＤＦＴサイズＮＣ＿ＤＦＴのＤＦＴにより生成されたスペクトルを第１のクラスタとして配置するものと、第２のクラスタとして配置するものに分割し、各クラスタを任意の帯域に配置することで、スペクトルを離散的に配置する。
【００３０】
一方、本実施形態では、送信装置１は、所定の条件において、前述の離散配置の場合と同一の割当情報を用いて周波数クリッピングによるスペクトル配置を行う。図３に、図１の４つの割当インデックス情報が与えられた場合の周波数クリッピングによるスペクトル配置の一例を示す。図３は、本実施形態に係る周波数クリッピングによるスペクトルの配置の一例を示す概略図である。
周波数クリッピングを行う場合には、クラスタリソース数Ｎａｌｌｏｃ（＝Ｎ１＋Ｎ２）に対して、更にクラスタ間のリソース数Ｎｉｎｔを加算したリソース数を、ＤＦＴサイズＮＣ＿ＤＦＴ（＝Ｎａｌｌｏｃ＋Ｎｉｎｔ）とする。送信装置１は、このＤＦＴサイズＮＣ＿ＤＦＴのＤＦＴにより生成されたスペクトルに対し、Ｎｉｎｔ個のリソース数（クラスタ間リソース）に相当する部分スペクトルをクリッピングして、残りのスペクトルを配置する。
【００３１】
なお、図３においては、送信装置１は、生成されたスペクトルのうち離散配置におけるクラスタ間に相当する位置のスペクトルをクリッピングしている。しかし、本発明はこれに限らず、送信装置１は、クリッピング後の帯域幅の合計がＮａｌｌｏｃとなるように、スペクトルの任意の位置をクリッピングしても良い。例えば、送信装置１は、サイズ（帯域幅）がＮａｌｌｏｃ＋Ｎｉｎｔのスペクトルのうち周波数の高いＮｉｎｔ個のリソース数分のスペクトルをクリッピングする。送信装置１は、クリッピングしたサイズがＮａｌｌｏｃのスペクトルをクラスタ分割し、分割したスペクトルを割当情報により指定された位置に対して配置しても良い。ただし、受信装置２においてクリッピングされた位置が特定できるように、送信装置１及び受信装置２には、クリッピング位置について共通の定義が設定されている。送信装置１及び受信装置２は、この定義を通信相手の装置に通知してもよいし、また、複数の定義を予め記憶し、定義の識別情報を通知してもよい。また、この通知は、送信装置１及び受信装置２の接続時に行われてもよいし、予め定めた周期で行われてもよい。
【００３２】
以上のように、同一の割当情報を用いた場合に割り当てられるスペクトルのリソース数は、周波数クリッピングを行う場合（図３）と行わない場合（図２）で共にＮａｌｌｏｃとなり、無線通信システムでは、同一の割当帯域を使用して伝送を行うことが可能である。ただし、無線通信システムは、周波数クリッピングを行う場合には、離散配置（周波数クリッピングを行なわない場合）に比べＮｉｎｔだけ多くデータが含まれた信号を送受信することが可能である。
【００３３】
周波数クリッピングを行う場合には、送信装置１で削除されたスペクトルは、等価的に、伝送過程で該スペクトルの伝搬路利得が劣悪であった為に失われたことになり、周波数選択性フェージングによるシンボル間干渉を増加させる。非特許文献１記載のＣｌｉｐｐｅｄ  ＤＦＴ−Ｓ−ＯＦＤＭの無線通信システムでは、受信装置に非線形繰り返し等化処理を適用することで、該シンボル間干渉を抑圧し、失われたスペクトルを復元する。ただし、生成されたスペクトルに対して周波数クリッピングにより削除されたスペクトルの割合（クリッピング率と称される）が高い場合には、発生する干渉量が膨大になり、非線形繰り返し等化処理が正しく動作せず、スペクトルの復元が不可能となる。
よって、Ｃｌｉｐｐｅｄ  ＤＦＴ−Ｓ−ＯＦＤＭの無線通信システムでは、クリッピング処理を行わないで、離散配置による割り当てを行った場合に比べて、伝送特性が著しく劣化することがある。
【００３４】
本実施形態に係る無線通信システムでは、離散配置の割当情報を用いてクリッピング技術を適用時に、クリッピング率が閾値以下になる場合にのみ、周波数クリッピングを行い、その他の場合には周波数クリッピングを行わずに離散配置によってスペクトルを配置する。これにより、従来のＣｌｉｐｐｅｄ  ＤＦＴ−Ｓ−ＯＦＤＭの無線通信システムと比較して伝送効率を高めることができる。
【００３５】
図３の割当情報が与えられた場合のクリッピング率Ｒｃｌｉｐは、Ｎａｌｌｏｃ及びＮｉｎｔを用いて次式（１）で表される。
【００３６】
【数１】
2012175335.tif 000003
【００３７】
また、判定に使用される閾値Ｒｌｉｍｉｔは、次式（２）で表される。
【数２】
2012175335.tif 000004
【００３８】
ここでＥ（ｘ）はｘの期待値を表す。また、ＦＥＲＤは離散配置時のＦＥＲＦＥＲ（Ｆｒａｍｅ  Ｅｒｒｏｒ  Ｒａｔｅ；フレーム誤り率）を表し、ＦＥＲＣは周波数クリッピング時のＦＥＲを表す。なお、閾値Ｒｌｉｍｉｔは、式（２）の値でなくてもよく、例えば、予め定められた定数であってもよい。また、閾値Ｒｌｉｍｉｔは、予め定められた複数の定数から、受信品質等に基づいて選択される値であってもよい。
【００３９】
なお、無線通信システムでは、式（２）で表される閾値Ｒｌｉｍｉｔを用いることにより、伝送スループットを最大化することができる。その理由は、以下の通りである。
伝送スループットの期待値を、「送信レート」×「１−フレーム誤り率の期待値」で定義する。クリッピング率Ｒｃｌｉｐの周波数クリッピングを用いた場合の送信レートは、離散配置を用いた場合の送信レートＲＴ＿Ｄを用いて、ＲＴ＿Ｄ／（１−Ｒｃｌｉｐ）で表される。よって、離散配置の伝送スループットと周波数クリッピングの伝送スループットが等しくなるときのクリッピング率Ｒｃｌｉｐを、閾値Ｒｌｉｍｉｔとすれば、伝送スループットを最大化できる。つまり、式（２）は、ＲＴ＿Ｄ／（１−Ｒｌｉｍｉｔ）×「１−周波数クリッピング時のＦＥＲ（ＦＥＲＣ（Ｒｌｉｍｉｔ）の期待値」」＝ＲＴ＿Ｄ×「１−離散配置時のＦＥＲ（ＦＥＲＤ）の期待値」を変形した式であり、式（２）で表される閾値Ｒｌｉｍｉｔを用いることにより、伝送スループットを最大化することができる。
【００４０】
本実施形態に係る無線通信システムでは、割当情報が与えられた際のクリッピング率Ｒｃｌｉｐを式（１）、及び、閾値Ｒｌｉｍｉｔを式（２）のように定める。送信装置１及び受信装置２は、「Ｒｌｉｍｉｔ＜Ｒｃｌｉｐ」であった場合には、周波数クリッピングに対する処理を行わずに離散配置に対する処理を行うことを決定し、「Ｒｌｉｍｉｔ≧Ｒｃｌｉｐ」であった場合には周波数クリッピングに対する処理を行うことを決定する。
【００４１】
［無線通信システムの構成］
図４は、本実施形態に係る無線通信システムの一例を示す概略図である。無線通信システムは、第１の送信装置１−１及び第２の送信装置１−２（各々が送信装置１）と受信装置２とを備える。第１の送信装置１−１及び第２の送信装置１−２は、例えば、移動局装置である。受信装置２は、例えば、基地局装置である。図４において、第１の送信装置１−１と第２の送信装置１−２と受信装置２は、セルと呼ばれるエリアに存在している。なお、図４の一例では、送信装置１の数を２としているが、１、あるいは３以上の送信装置１が存在してもよい。
第１の送信装置１−１、第２の送信装置１−２及び受信装置２はそれぞれ１つのアンテナを具備し、受信装置２は第１の送信装置１−１及び第２の送信装置１−２から送信された信号を受信する。無線通信システムでは、伝送に使用される伝送方式として、連続配置を用いるＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式、最大クラスタ数を２とした離散配置を用いるＣｌｕｓｔｅｒｅｄ  ＤＦＴ−Ｓ−ＯＦＤＭ方式、もしくは周波数クリッピングを行うＣｌｉｐｐｅｄ  ＤＦＴ−Ｓ−ＯＦＤＭ方式が用いられる。
【００４２】
［送信装置の構成］
図５は、本実施形態に係る送信装置１の構成の一例を示す概略ブロック図である。ただし、送信装置１は、図５に表す構成以外の構成を備えてもよく、例えば、複数の送信アンテナを備えてもよい。
送信装置１は、制御情報受信部１００、クリッピング／離散配置切替部１１、符号化部１２０、変調部１２１、ＤＦＴ部１２２、クリッピング部１２３、マッピング部１２４、ＩＦＦＴ部１２５、参照信号生成部１２６、参照信号多重部１２７、送信処理部１２８、及び送信アンテナ１２９を備える。
【００４３】
送信装置１では、データの送信を行う前に、伝送に使用される各種パラメータ（符号化率、変調方式、割当情報等）を制御情報として受信装置２から通知される。なお、割当情報が示す割り当ては、送信装置１−１、１−２各々で異なるが、同じ場合があってもよい。
制御情報受信部１００は、受信装置２より通知された制御情報を受信する。制御情報受信部１００は、受信した制御情報のうち、符号化率情報を符号化部１２０へ出力し、変調方式情報を変調部１２１へ出力し、割当情報をクリッピング／離散配置切替部１１及びマッピング部１２４へ出力する。
【００４４】
ただし、無線通信システムの各装置は、符号化率情報及び変調方式情報を、１つの情報（ＭＣＳ；Ｍｏｄｕｌａｔｉｏｎ  ａｎｄ  Ｃｏｄｉｎｇ  Ｓｃｈｅｍｅ）として扱ってもよい。また、各装置は、割当情報の形式として、連続配置及び離散配置に対応したものを使用する。各装置は、連続する周波数帯域を割り当てる連続配置においては、割当情報として、１つのシングルキャリアの割当位置を特定できる情報を使用する。例えば、各装置は、１つの連続配置を図１の第１のクラスタとして扱い、割当開始インデックスＩ１  ｓｔａｒｔと割当終了インデックスＩ１  ｅｎｄの２つの割当インデックス情報を使用する。また、各装置は、離散配置においては、割当情報として、複数のクラスタの割当位置を特定できる情報を使用し、例えば、クラスタ数が２の場合には、上述の離散配置の割当情報を使用する。なお、本発明に係る割当情報は、一例として示したものには限られず、例えば、非特許文献１に示されるように４つの割当インデックス情報の組み合わせをビット列に対応させたものでも良いし、システム帯域内の全てのＲＢＧに割当情報を１ビットずつ対応させ、該ビットが１であるＲＢＧのみに割当を行うビットマップ方式であっても良い。
【００４５】
符号化部１２０は、制御情報受信部１００より入力された符号化率情報に基づき、送信データのビット系列に対して誤り訂正符号化処理を施す。符号化部１２０は、誤り訂正符号化処理後のビット（符号ビット）系列を変調部１２１へと出力する。
変調部１２１は、制御情報受信部１００より入力された変調方式情報に基づき、符号化部１２０から入力されたビット系列を変調することで、変調信号を生成する。例えば、変調部１２１は、ＱＰＳＫ（Ｑｕａｔｅｒｎａｒｙ  Ｐｈａｓｅ  Ｓｈｉｆｔ  Ｋｅｙｉｎｇ）や１６ＱＡＭ（１６−ａｒｙ  Ｑｕａｄｒａｔｕｒｅ  Ａｍｐｌｉｔｕｄｅ  Ｍｏｄｕｌａｔｉｏｎ）等で変調する。変調部１２１は、生成した変調信号をＤＦＴ部１２２に出力する。
【００４６】
クリッピング／離散配置切替部１１は、制御情報受信部１００より入力された割当情報に基づいてＤＦＴサイズを示すＤＦＴサイズ情報を生成し、生成したＤＦＴサイズ情報をＤＦＴ部１２２に出力する。クリッピング／離散配置切替部１１は、制御情報受信部１００より入力された割当情報に基づいてクリッピング制御情報を生成し、生成したクリッピング制御情報をクリッピング部１２３に出力する。ここで、クリッピング／離散配置切替部１１は、ＤＦＴサイズ情報及びクリッピング制御情報を用いてＤＦＴ部１２２及びクリッピング部１２３を制御することにより、周波数クリッピングを行って信号を送信するか、又は、周波数クリッピングを行わないで離散配置によって信号を送信するか、の切り替えを行う。
【００４７】
図６は、本実施形態に係るクリッピング／離散配置切替部１１の構成の一例を示す概略ブロック図である。クリッピング／離散配置切替部１１は、割当判定部１１０、クリッピング判定部１１１を備える。
割当判定部１１０は、制御情報受信部１００より入力された割当情報に基づいて、全クラスタの合計リソース数Ｎａｌｌｏｃ及びクラスタ間のリソース数Ｎｉｎｔを算出する。ここで、本実施形態に係る割当情報には、離散配置の割当情報の場合には４つの割当インデックス情報（Ｉ１  ｓｔａｒｔ、Ｉ１  ｅｎｄ、Ｉ２  ｓｔａｒｔ、Ｉ２  ｅｎｄ）、連続配置の場合には２つの割当インデックス情報（Ｉ１  ｓｔａｒｔ、Ｉ１  ｅｎｄ）が含まれる。割当判定部１１０は、制御情報受信部１００より入力された割当情報が、連続配置の割当情報であるか、離散配置の割当情報であるか、を、Ｉ２＿ｓｔａｒｔ、Ｉ２＿ｅｎｄの値の有無により判定する。
【００４８】
割当判定部１１０は、離散配置の割当情報と判定した場合には、その割当情報に含まれる４つの割当インデックス情報を用いて、全クラスタの合計リソース数Ｎａｌｌｏｃ＝Ｎ１＋Ｎ２、及びクラスタ間のリソース数Ｎｉｎｔ＝Ｉ２＿ｓｔａｒｔ−Ｉ１＿ｅｎｄ−１を算出する（図２参照）。割当判定部１１０は、連続配置の割当情報と判定した場合には、その割当情報に含まれる２つの割当インデックス情報を用いて、Ｎａｌｌｏｃ＝Ｉ１  ｅｎｄ−Ｉ１  ｓｔａｒｔ＋１を算出し、Ｎｉｎｔ＝０とする。
割当判定部１１０は、算出したＮａｌｌｏｃ、Ｎｉｎｔを示す情報をクリッピング判定部１１１へ出力する。  
【００４９】
また、割当判定部１１０は、インデックスＮｓｔａｒｔ＝Ｎ１＋１を算出する。このインデックスＮｓｔａｒｔは、周波数クリッピングを行う場合に用いられる情報であって、スペクトルの何番目からクリッピングするかを示すための情報である。ただし、クリッピング位置がクリッピング率のみによって特定可能である場合には、割当判定部１１０は、Ｎｓｔａｒｔを算出しなくてもよい。割当判定部１１０は、算出したＮｓｔａｒｔを示す情報をクリッピング部１２３へ出力する。
【００５０】
クリッピング判定部１１１は、割当判定部１１０から入力された情報が示すＮａｌｌｏｃ、Ｎｉｎｔに基づいて、図７に示すフローチャートの処理を行うことにより、周波数クリッピングを行うか否かの判定を行う。
図７は、本実施形態に係るクリッピング判定部１１１の動作の一例を示すフローチャートである。
【００５１】
（ステップＳ１０１）クリッピング判定部１１１は、割当判定部１１０よりＮａｌｌｏｃ、Ｎｉｎｔを示す情報を取得する。その後、ステップＳ１０２に進む。
（ステップＳ１０２）クリッピング判定部１１１は、ステップＳ１０１で取得した情報が示すＮａｌｌｏｃ、Ｎｉｎｔを、式（１）に代入することで、周波数クリッピングを行う場合のクリッピング率Ｒｃｌｉｐを算出する。その後、ステップＳ１０３に進む。
【００５２】
（ステップＳ１０３）クリッピング判定部１１１は、ステップＳ１０２で算出したクリッピング率Ｒｃｌｉｐが予め記憶する閾値Ｒｌｉｍｉｔより大きい（Ｒｃｌｉｐ＞Ｒｌｉｍｉｔ）か否か、及び、ステップＳ１０２で算出したクリッピング率Ｒｃｌｉｐが「０」（連続配置）か否か、を判定する。クリッピング率Ｒｃｌｉｐが閾値Ｒｌｉｍｉｔより大きい場合、又は、クリッピング率Ｒｃｌｉｐが「０」である場合（Ｙｅｓ）、クリッピング判定部１１１は、周波数クリッピングを行わないと判定し、ステップＳ１０４に進む。一方、クリッピング率Ｒｃｌｉｐが閾値Ｒｌｉｍｉｔより以下で、かつ、クリッピング率Ｒｃｌｉｐが「０」でない場合（Ｎｏ）、クリッピング判定部１１１は、周波数クリッピングを行うと判定し、ステップＳ１０６に進む。
【００５３】
（ステップＳ１０４）クリッピング判定部１１１は、ＤＦＴサイズＮＤＦＴにＮａｌｌｏｃの値を代入する。その後、ステップＳ１０５に進む。
（ステップＳ１０５）クリッピング判定部１１１は、クリッピング数Ｎｃｌｉｐに「０」を代入する。その後、ステップＳ１０８に進む。
（ステップＳ１０６）クリッピング判定部１１１は、ＤＦＴサイズＮＤＦＴにＮａｌｌｏｃ＋Ｎｉｎｔの値を代入する。その後、ステップＳ１０７に進む。
（ステップＳ１０７）クリッピング判定部１１１は、クリッピング数ＮｃｌｉｐにＮｉｎｔの値を代入する。その後、ステップＳ１０８に進む。
【００５４】
（ステップＳ１０８）クリッピング判定部１１１は、ステップＳ１０４又はステップＳ１０６で値を代入したＤＦＴサイズＮＤＦＴを示すＤＦＴサイズ情報をＤＦＴ部１２２へ出力する。その後、ステップＳ１０９に進む。
（ステップＳ１０９）クリッピング判定部１１１は、ステップＳ１０５又はステップＳ１０７で値を代入したクリッピング数Ｎｃｌｉｐを示すクリッピング制御情報を、ＤＦＴ部１２２へ出力する。その後、処理を終了する。
なお、ステップＳ１０４とステップＳ１０５の順序、ステップＳ１０６とステップＳ１０７の順序、ステップＳ１０８とステップＳ１０９の順序、は、逆であっても良い。
クリッピング／離散配置切替部１１は、以上の様な処理を行うことにより、離散配置による伝送とクリッピングによる伝送を適切に切り替えることが可能となる。
【００５５】
図５に戻って、ＤＦＴ部１２２は、ＤＦＴを行うことにより、変調部１２１より入力された変調信号を周波数領域信号に変換する。ここで、ＤＦＴ部１２２は、クリッピング／離散配置切替部１１より入力されたＤＦＴサイズ情報が示すＤＦＴサイズＮＤＦＴで、ＤＦＴを行う。ＤＦＴ部１２２は、変換後の周波数領域信号を、クリッピング部１２３へ出力する。
【００５６】
クリッピング部１２３は、クリッピング／離散配置切替部１１より入力された情報が示すクリッピング数Ｎｃｌｉｐ及びクリッピングの開始位置を示すＮｓｔａｒｔを用いて、ＤＦＴ部１２２より入力された周波数領域信号に対して周波数クリッピングを行う。具体的には、クリッピング部１２３は、入力された周波数領域信号のＮｓｔａｒｔ番目からＮｓｔａｒｔ＋Ｎｃｌｉｐ−１番目の周波数リソースに相当するスペクトルを削除する。クリッピング部１２３は、削除後に残された（削除しなかった）スペクトルを結合（例えば、スペクトルの値を配列順に並べて）し、結合したリソース数Ｎａｌｌｏｃのスペクトルを、周波数領域信号としてマッピング部１２４へ出力する。ここで、クリッピング部１２３は、入力されたＮｃｌｉｐの値が「０」である場合には、周波数クリッピングを行わず、クリッピング／離散配置切替部１１より入力された周波数領域信号をマッピング部１２４へ出力する。
【００５７】
マッピング部１２４は、クリッピング部より入力された周波数領域信号を、制御情報受信部１００より入力された割当情報に基づき、伝送に使用する帯域に配置する。マッピング部１２４は、配置した信号を、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）部１２５へ出力する。
ＩＦＦＴ部１２５は、システム帯域に相当するＦＦＴサイズのＩＦＦＴにより、マッピング部１２４より入力された信号を時間領域信号に変換する。ＩＦＦＴ部１２５は、変換後の時間領域信号を参照信号多重部１２７に出力する。
【００５８】
参照信号多重部１２７は、ＩＦＦＴ部より入力された時間領域信号、及び参照信号生成部１２６で生成された参照信号（ＲＳ：Ｒｅｆｅｒｅｎｃｅ  Ｓｉｇｎａｌとも称される）が多重される。参照信号多重部１２７は、多重後の信号を、送信処理部１２８に出力する。
送信処理部１２８は、参照信号多重部１２７より入力された信号に対して、ＣＰ（Ｃｙｃｌｉｃ  Ｐｒｅｆｉｘ（Ｇｕａｒｄ  Ｉｎｔｅｒｖａｌ（ＧＩ）とも称される））の挿入、Ｄ／Ａ（Ｄｉｇｉｔａｌ  ｔｏ  Ａｎａｌｏｇ）変換によるアナログ信号への変換、伝送に使用される無線周波数帯へのアップコンバートを行い、これらの処理をした信号を、送信アンテナ１２９から送信する。
【００５９】
［受信装置の構成］
受信装置２では、周波数クリッピングにより削除された一部の信号を復元する為に、非線形繰り返し等化技術が用いられる。受信装置２は、その一例として、周波数領域ＳＣ／ＭＭＳＥ（Ｓｏｆｔ  Ｃａｎｃｅｌｌｅｒ  ｆｏｌｌｏｗｅｄ  ｂｙ  Ｍｉｎｉｍｕｍ  Ｍｅａｎ  Ｓｑｕａｒｅ  Ｅｒｒｏｒ）ターボ等化技術が用いられる。
【００６０】
図８は、本実施形態に係る受信装置２の構成の一例を示す概略ブロック図である。
受信装置２は、スケジューリング部２００、制御情報生成部２０１、制御情報送信部２０２、クリッピング／離散配置判定部２１、バッファ２２０、受信アンテナ２２１、受信処理部２２２、参照信号分離部２２３、ＦＦＴ部２２４、伝搬路推定部２２５、デマッピング部２２６、伝搬路乗算部２３０、キャンセル部２３１、等化部２３２、ＩＤＦＴ部２３３、復調部２３４、復号部２３５、レプリカ生成部２３６、ＤＦＴ部２３７、及び判定部２４０を備える。
なお、スケジューリング部２００、受信アンテナ２２１、受信処理部２２２、参照信号分離部２２３、ＦＦＴ部２２４に関しては、受信装置２と伝送を行う第１の送信装置１−１及び第２の送信装置１−２に対して一括した処理が行われるが、その他の構成（破線内のブロック）においては送信装置１毎に処理が行われ、送信装置１各々の送信したデータが受信データとして復元される。
【００６１】
受信装置２では、まず各送信装置１が伝送に使用する帯域を決定する為にスケジューリングが行われる。
スケジューリング部２００は、離散配置あるいは連続配置を用いて伝送を行う第１の送信装置１−１及び第２の送信装置１−２に対して無線リソースを割り当てる。スケジューリング部２００は、送信装置１各々について、割り当てた無線リソースを示す割当情報を生成し、生成した割当情報を制御情報生成部２０１、クリッピング／離散配置判定部２１、及びバッファ２２０へ出力する。
【００６２】
制御情報生成部２０１は、送信装置１各々について、符号化率情報及び変調方式情報（ＭＣＳ情報でもよい）を生成する。制御情報生成部２０１は、送信装置１各々について、スケジューリング部２００より入力された割当情報、生成した符号化率情報及び変調方式情報等を含む制御情報を生成する。制御情報生成部２０１は、生成した制御情報を制御情報送信部２０２へ出力する。
制御情報送信部２０２は、制御情報生成部２０１より入力された送信装置１各々の制御情報を、その送信装置１へ通知する。
【００６３】
クリッピング／離散配置判定部２１は、スケジューリング部２００より入力された割当情報に基づいてＤＦＴサイズを示すＤＦＴサイズ情報を生成し、生成したＤＦＴサイズ情報をＩＤＦＴ部２３３、およびＤＦＴ部２３７へ出力する（図示せず）。ただし、ＩＤＦＴ部２３３およびＤＦＴ部２３７において入力される信号のサイズによりＤＦＴサイズを特定する場合には、クリッピング／離散配置判定部２１はＤＦＴサイズ情報の出力を行わない構成をとってもよい。クリッピング／離散配置判定部２１は、スケジューリング部２００より入力された割当情報を用いて、送信装置１各々からの受信信号が周波数クリッピングを行ったものであるか否かを判定する。クリッピング／離散配置判定部２１は、判定結果の判定値ｋｃｌｉｐをバッファ２２０へ出力する。
【００６４】
図９は、本実施形態に係るクリッピング／離散配置判定部２１の構成の一例を示す概略ブロック図である。クリッピング／離散配置判定部２１は、割当判定部２１０、クリッピング判定部２１１を備える。
割当判定部２１０は、スケジューリング部２００より入力された割当情報に基づいて、図６の割当判定部１１０と同様に、全クラスタの合計リソース数Ｎａｌｌｏｃ及びクラスタ間のリソース数Ｎｉｎｔを算出する。割当判定部２１０は、算出したＮａｌｌｏｃ、Ｎｉｎｔを示す情報をクリッピング判定部１１１へ出力する。
【００６５】
クリッピング判定部２１１は、割当判定部２１０は、から入力された情報が示すＮａｌｌｏｃ、Ｎｉｎｔに基づいて、図１０に示すフローチャートの処理を行うことにより、送信装置１各々からの受信信号が周波数クリッピングを行ったものであるか否かを判定する。
図１０は、本実施形態に係るクリッピング判定部２１１の動作の一例を示すフローチャートである。
【００６６】
（ステップＳ２０１）クリッピング判定部２１１は、割当判定部２１０より、判定対象の送信装置１についてのＮａｌｌｏｃ、Ｎｉｎｔを示す情報を取得する。その後、ステップＳ２０２に進む。
（ステップＳ２０２）クリッピング判定部２１１は、ステップＳ２０１で取得した情報が示すＮａｌｌｏｃ、Ｎｉｎｔを、式（１）に代入することで、周波数クリッピングを行う場合のクリッピング率Ｒｃｌｉｐを算出する。その後、ステップＳ２０３に進む。
【００６７】
（ステップＳ２０３）クリッピング判定部２１１は、ステップＳ２０２で算出したクリッピング率Ｒｃｌｉｐが予め記憶する閾値Ｒｌｉｍｉｔより大きい（Ｒｃｌｉｐ＞Ｒｌｉｍｉｔ）か否か、及び、ステップＳ２０２で算出したクリッピング率Ｒｃｌｉｐが「０」（連続配置）か否か、を判定する。クリッピング率Ｒｃｌｉｐが閾値Ｒｌｉｍｉｔより大きい場合、又は、クリッピング率Ｒｃｌｉｐが「０」である場合（Ｙｅｓ）、クリッピング判定部２１１は、判定対象の送信装置１の受信信号が周波数クリッピングを行ったものではないと判定し、ステップＳ２０４に進む。一方、クリッピング率Ｒｃｌｉｐが閾値Ｒｌｉｍｉｔより以下で、かつ、クリッピング率Ｒｃｌｉｐが「０」でない場合（Ｎｏ）、クリッピング判定部２１１は、判定対象の送信装置１の受信信号が周波数クリッピングを行ったものであると判定し、ステップＳ２０５に進む。
【００６８】
（ステップＳ２０４）クリッピング判定部２１１は、判定値ｋｃｌｉｐに、判定対象の送信装置１の受信信号が周波数クリッピングを行ったものでないことを示す「０」を代入する。その後、ステップＳ２０６に進む。
（ステップＳ２０５）クリッピング判定部２１１は、判定値ｋｃｌｉｐに、判定対象の送信装置１の受信信号が周波数クリッピングを行ったものであることを示す「１」を代入する。
その後、ステップＳ２０６に進む。
（ステップＳ２０６）クリッピング判定部２１１は、ステップＳ２０４又はステップＳ２０５で値を代入した判定値ｋｃｌｉｐをバッファ２２０へ出力する。なお、判定値ｋｃｌｉｐは、送信装置１毎の情報である。クリッピング判定部２１１は、すべての送信装置１について、図１０の動作を行った後、処理を終了する。
【００６９】
クリッピング／離散配置判定部２１は、以上の様な処理を行うことにより、離散配置による伝送とクリッピングによる伝送を適切に切り替えることが可能となる。また、クリッピング／離散配置判定部２１は、クリッピング／離散配置切替部１１と同じ判定をすることにより、送信側と受信側で、周波数クリッピングを行うか否かについて同じ判定をすることができる。これにより、無線通信システムでは、周波数クリッピングを行うか否かを示す情報を通知する場合と比較して、通知に必要な無線リソースを他の通信に割り当てることができ、伝送効率を向上することができる。
【００７０】
図８に戻って、バッファ２２０は、スケジューリング部２００より入力された割当情報、及びクリッピング／離散配置判定部２１より入力された判定値ｋｃｌｉｐを一時的に記憶する。ここで、バッファ２２０は、送信装置１（送信装置１の識別情報；例えば端末ＩＤ）毎に、判定値ｋｃｌｉｐを記憶する。バッファ２２０は、この割当情報を用いて、受信装置２が送信装置１からの信号を受信する機会において、記憶した割当情報および判定値ｋｃｌｉｐを、デマッピング部２２６、及び伝搬路推定部２２５へ出力する。
【００７１】
受信処理部２２２は、受信アンテナ２２１を介して受信した信号を、無線周波数帯からダウンコンバートする。受信処理部２２２は、ダウンコンバートした信号をＡ／Ｄ（Ａｎａｌｏｇ  ｔｏ  Ｄｉｇｉｔａｌ）変換し、変換後の信号からＣＰを除去する。受信処理部２２２は、これらの処理をした信号を、参照信号分離部２２３へ出力する。
参照信号分離部２２３は、受信処理部２２２より入力された信号から参照信号を抽出し、抽出した参照信号を伝搬路推定部２２５へ出力する。参照信号分離部２２３は、受信処理部２２２より入力された信号のうち参照信号以外の信号をＦＦＴ（Ｆａｓｔ  Ｆｏｕｒｉｅｒ  Ｔｒａｎｓｆｏｒｍ：高速フーリエ変換）部２２４へ出力する。
【００７２】
ＦＦＴ部２２４は、システム帯域に相当するＦＦＴサイズのＦＦＴにより、受信処理部２２２より入力された信号を周波数領域信号に変換する。ＦＦＴ部２２４は、変換後の周波数領域信号をデマッピング部２２６に出力する。
デマッピング部２２６は、ＦＦＴ部２２４より入力された周波数領域信号を、バッファ２２０より入力された割当情報を用いて送信装置１毎の信号に分離する。デマッピング部２２６は、送信装置１毎に、バッファ２２０より入力された判定値ｋｃｌｉｐの値が「０」であるか、「１」であるかを判定し、判定結果に応じて、次の処理を行う。
【００７３】
判定値ｋｃｌｉｐの値が「０」の場合、デマッピング部２２６は、分離した信号を、キャンセル部２３１に出力する。一方、判定値ｋｃｌｉｐの値が「１」の場合、デマッピング部２２６は、分離した信号に対し、バッファ２２０より入力された割当情報が示す第１のクラスタと第２のクラスタのクラスタ間に相当する帯域に相当するゼロを挿入する。具体的には、デマッピング部２２６は、分離した信号のＮｓｔａｒｔ番目からＮｓｔａｒｔ＋Ｎｃｌｉｐ−１番目の周波数リソースにゼロを挿入する。デマッピング部２２６は、ゼロを挿入した信号を、キャンセル部２３１に出力する。
【００７４】
伝搬路推定部２２５は、参照信号分離部２２３より入力された参照信号とバッファ２２０より入力された割当情報を用いて、送信装置１毎に伝送に使用された伝搬路の周波数応答の推定値（周波数推定値と称する）を算出する。伝搬路推定部２２５は、送信装置１毎に、バッファ２２０より入力された判定値ｋｃｌｉｐの値が「０」であるか、「１」であるかを判定し、判定結果に応じて、次の処理を行う。
判定値ｋｃｌｉｐの値が「０」の場合、伝搬路推定部２２５は、算出した伝搬路推定値を等化部２３２及び伝搬路乗算部２３０へ出力する。一方、判定値ｋｃｌｉｐの値が「１」の場合、伝搬路推定部２２５は、バッファ２２０より入力された割当情報を用いて、クリッピング位置に相当する帯域の周波数応答をゼロとした伝搬路推定値を等化部２３２及び伝搬路乗算部２３０へ出力する。つまり、受信装置２は、判定値ｋｃｌｉｐの値が「１」の場合、周波数クリッピングされたスペクトルが周波数応答が皆無であった為に欠落したとみなし受信処理を行う。
【００７５】
伝搬路乗算部２３０は、周波数領域ＳＣ／ＭＭＳＥターボ等化処理の過程でＤＦＴ部２３７より入力された周波数領域のレプリカ信号に対して伝搬路推定値を乗算することで、受信レプリカ信号を生成する。周波数領域ＳＣ／ＭＭＳＥターボ等化処理では、受信装置２は、送信装置１毎に、後述するキャンセル部２３１、等化部２３２、ＩＤＦＴ（Ｉｎｖｅｒｓｅ  ＤＦＴ：逆離散フーリエ変換）部２３３、復調部２３４、復号部２３５、レプリカ生成部２３６、ＤＦＴ部２３７、及び伝搬路乗算部２３０の処理を繰り返す（この処理を「繰り返し処理」とも称する）。伝搬路乗算部２３０は、生成した受信レプリカ信号を、キャンセル部２３１へ出力する。
キャンセル部２３１は、受信処理部２２２より入力された信号を記憶する。キャンセル部２３１は、記憶した信号から、伝搬路乗算部２３０より入力された受信レプリカを減算する（キャンセルする）。キャンセル部２３１は、減算後の信号を等化部２３２へ出力する。なお、キャンセル部２３１は、繰り返し処理の初回においては、受信処理部２２２より入力された信号を、そのまま（キャンセルせずに）等化部２３２へ出力する。
【００７６】
等化部２３２は、キャンセル部２３１より入力された信号、伝搬路推定部２２５より入力された伝搬路推定値、及びレプリカ生成部２３６より入力されたソフトレプリカを用いて等化処理を行う。具体的には、等化部２３２は、キャンセル部２３１より入力された信号、伝搬路推定部２２５より入力された伝搬路推定値を用いて等化し、等化後の信号にソフトレプリカを加算することで、希望信号を再構成する。等化部２３２は、等化処理後の信号（希望信号）を、ＩＤＦＴ部２３３へ出力する。
ＩＤＦＴ部２３３は、ＩＤＦＴを行うことにより、等化部２３２から入力された信号を時間領域信号に変換する。ここで、ＩＤＦＴ部２３３は、クリッピング／離散配置判定部２１より入力されたＤＦＴサイズ情報が示すＤＦＴサイズＮＤＦＴで、ＩＤＦＴを行う。ＩＤＦＴ部２３３は、変換後の時間領域信号を、復調部２３４へ出力する。
【００７７】
復調部２３４は、ＩＤＦＴ部２３３より入力された時間領域信号を復調して、符号ビットのＬＬＲ（Ｌｏｇ  Ｌｉｋｅｌｉｈｏｏｄ  Ｒａｔｉｏ：対数尤度比）を算出する。復調部２３４は、算出したＬＬＲを復号部２３５へ出力する。
復号部２３５は、復調部２３４より入力されたＬＬＲに対して誤り訂正復号化処理を施す。これにより、ＬＬＲの信頼性が改善される。復号部２３５は、繰り返し処理の繰り返し回数ｍを計数し、計数した繰り返し回数ｍが予め定められた回数Ｍになったか否かを判定する。
判定結果がｍ≧Ｍの場合、復号部２３５は、誤り訂正復号化処理後のビット系列を判定部２４０へ出力する。一方、判定結果がｍ＜Ｍの場合、復号部２３５は、誤り訂正復号化処理後のビット系列をレプリカ生成部２３６へ出力する。
ただし、誤りが検出されなかった等の所定の条件を満たした場合に、繰り返し回数がＭに満たずとも繰り返し処理を終了してもよい。
【００７８】
レプリカ生成部２３６は、復号部２３５より入力されたビット系列に対して、送信装置１の符号化部１２０、変調部１２１と同じ処理を行うことで、ソフトレプリカを生成する。ここで、レプリカ生成部２３６は、これらの処理に、スケジューリング部２００が生成した割当情報を用いる。レプリカ生成部２３６は、生成したソフトレプリカを等化部２３２及びＤＦＴ部２３７へ出力する。
ＤＦＴ部２３７は、ＤＦＴを行うことにより、レプリカ生成部２３６から入力されたソフトレプリカを周波数領域信号に変換することで、レプリカ信号を生成する。ＤＦＴ部２３７は、生成したレプリカ信号を伝搬路乗算部２３０へ出力する。
【００７９】
受信装置２は、このような繰り返しの等化処理を、送信装置１毎にＭ回繰り返す。これにより、受信装置２は、誤り訂正における訂正能力を向上させることができ、また周波数クリッピングによって伝送されなかった帯域の信号に対しても誤り訂正による信頼性の獲得が可能となる。
判定部２４０は、復号部２３５より入力されたＬＬＲを硬判定することでデータビット（ビット系列）を生成し、生成したデータビットを受信データとして出力する。
【００８０】
このように、本実施形態によれば、受信装置２は、送信装置１がデータの送信に用いる周波数帯域を示す割当情報（制御情報）を、送信装置１に送信する。送信装置１は、割当情報に基づいて、送信する信号の一部のスペクトルを削除する周波数クリッピングを行うか否かを決定する。また、受信装置２は、割当情報に基づいて、送信装置１が送信する信号の一部のスペクトルを削除する周波数クリッピングを行うか否かを決定する。これにより、本実施形態では、無線通信システムでは、周波数クリッピングを行うか否かを示す情報を送信しなくても、周波数クリッピングを行うか否かを判定でき、伝送効率の低減を防止しつつ、周波数クリッピングを行うことができる。つまり、非特許文献１のように離散配置を行う無線通信システムにおいて特許文献１に示される周波数クリッピングを実装することが可能となり、かつ同一の形式の割当情報を用いて離散配置とクリッピングの切り替えを行うことから制御情報量の増加を防止することが可能となる。
【００８１】
また、本実施形態によれば、制御情報は、第１の通信装置が送信する信号のスペクトルを、周波数において離散的に配置することを示す情報である。これにより、本実施形態では、無線通信システムでは、周波数クリッピングと離散配置を切り替えることができる。
また、本実施形態によれば、送信装置１は、割当情報が示す周波数帯域が所定の条件を満たすか否かに基づき、前記周波数クリッピングを行うか否かを決定する。つまり、送信装置１は、割当情報が示す周波数帯域から算出可能なクリッピング率Ｒｃｌｉｐが閾値Ｒｌｉｍｉｔより小さい場合には周波数クリッピングを行うことを決定し、閾値Ｒｌｉｍｉｔより高い場合には周波数クリッピングを行わないことを決定する。ここで、クリッピング率Ｒｃｌｉｐは、割当情報が示す周波数帯域が、複数のクラスタに分割して割り当てられる離散配置であった場合に、クラスタ間となる帯域の全てをクリッピングによる欠落とみなした場合に算出される比率である。これにより、本実施形態では、無線通信システムは、離散配置の伝送スループットと周波数クリッピングの伝送スループットが等しくなるときのクリッピング率Ｒｃｌｉｐを、閾値Ｒｌｉｍｉｔとし、伝送スループットを最大化できる。
【００８２】
＜変形例１＞
第１の実施形態では、最大クラスタ数を２とした場合の形態を示したが、最大クラスタ数を３以上とした場合でも同様の処理を行うことができる。
この場合、割当情報は、例えば、ＲＢＧがＮＲＢＧ存在するシステム帯域内の全てのＲＢＧにビット長ＮＲＢＧの割当情報の１ビットを対応させ、該ビットが１であるＲＢＧのみに割当を行うビットマップ方式であっても良い。
また、例えば、割当情報は、非特許文献１に示されるように全クラスタの両端のインデックス情報の組み合わせをビット列に１対１で対応させたものでも良い。ただし、後者において最大クラスタ数がＮＣＬである場合に使用される割当情報のビット長ＮＲＡ（ＮＣＬ）は次式（３）となる。
【００８３】
【数３】
2012175335.tif 000005
【００８４】
ただし、ｃｅｉｌ（ｘ）はｘ以上の最小の整数を表し、ｃｏｎｂｉｎ（Ａ，Ｂ）は総数Ａの中からＢ個選ぶ組み合わせの総数を表す。
上述のような割当情報を用いて、送信装置１及び受信装置２では各クラスタの割当開始位置Ｉｓｔａｒｔ（ｎ）とＩｅｎｄ（ｎ）（ただし１≦ｎ≦ＮＣＬ）が認識される。この場合、ｎ番目のクラスタの帯域幅Ｎ（ｎ）はＮ（ｎ）＝Ｉｅｎｄ（ｎ）−Ｉｓｔａｒｔ（ｎ）＋１（ただし１≦ｎ≦ＮＣＬ）で表わされ、ｎ番目のクラスタとｎ＋１番目のクラスタ間の帯域幅Ｎｉｎｔ（ｎ）はＮｉｎｔ（ｎ）＝Ｉｅｎｄ（ｎ＋１）−Ｉｓｔａｒｔ（ｎ）−１（ただし１≦ｎ≦ＮＣＬ−１）で表わされる。
クリッピング／離散配置切替部１１及びクリッピング／離散配置判定部２１は、周波数クリッピングを行わないと判定した場合、次式（４）を用いてＤＦＴサイズＮＤＦＴを算出する。
【００８５】
【数４】
2012175335.tif 000006
【００８６】
送信装置１は、このＤＦＴサイズＮＤＦＴのＤＦＴにより周波数領域信号を生成し、生成した周波数領域信号のスペクトルをクラスタ分割して各割当帯域へ離散配置を行う。
一方、クリッピング／離散配置切替部１１及びクリッピング／離散配置判定部２１は、周波数クリッピングが行われていないと判定したとき、例えば、全てのクラスタ間を周波数クリッピングする場合には、次式（５）を用いてＤＦＴサイズＮＤＦＴを算出する。
【００８７】
【数５】
2012175335.tif 000007
【００８８】
ここで、クラスタ間に相当する帯域がクリッピングにより削除されるため、クリッピング／離散配置切替部１１及びクリッピング／離散配置判定部２１は、クリッピング率Ｒｃｌｉｐを次式（６）で算出する。
【００８９】
【数６】
2012175335.tif 000008
【００９０】
クリッピング／離散配置切替部１１は図７のステップＳ１０３で、クリッピング／離散配置判定部２１は図１０のステップＳ２０３で、式（６）を用いて算出したＲｃｌｉｐと閾値Ｒｌｉｍｉｔを比較する。これにより、無線通信システムでは、最大クラスタ数が３以上の場合でも、クリッピングと離散配置を切り替えできる。
【００９１】
＜変形例２＞
無線通信システムでは、送信装置及び受信装置のいずれか一方又は両方で、複数アンテナを用いたＭＩＭＯ（Ｍｕｌｔｉｐｌｅ  Ｉｎｐｕｔ  Ｍｕｌｔｉｐｌｅ  Ｏｕｔｐｕｔ）伝送による通信を行ってもよい。
図１１は、変形例２に係る無線通信システムの一例を示す概略図である。図１１の無線通信システムでは、第１の送信装置１ａ−１及び第２の送信装置１ａ−２（各々が送信装置１ａ）と受信装置２ａとが複数のアンテナを備える点が図４の無線通信システムと異なる。
以下、第１の送信装置１−１ａ及び第２の送信装置１−２ａ各々を送信装置１ａとも称し、受信装置２を受信装置２ａとも称する。
【００９２】
［送信装置の構成］
図１２は、本変形例に係る送信装置１ａの構成の一例を示す概略ブロック図である。送信装置１ａは、制御情報受信部１００、クリッピング／離散配置切替部１１、符号化部１２０−１〜Ｃ、変調部１２１−１〜Ｃ、レイヤマッピング部１３０ａ、ＤＦＴ部１２２−１〜Ｌ、プリコーディング部１３１ａ、クリッピング部１２３−１〜Ｔ、マッピング部１２４−１〜Ｔ、ＩＦＦＴ部１２５−１〜Ｔ、参照信号生成部１２６、参照信号多重部１２７−１〜Ｔ、送信処理部１２８−１〜Ｔ、及び送信アンテナ１２９−１〜Ｔを備える。ここでＣはコードワード数、Ｌは同時に伝送されるストリーム数を示すランク（Ｒａｎｋ、レイヤ数とも称される）、Ｔは送信アンテナ数を示している。
クリッピング／離散配置切替部１１、符号化部１２０−１〜Ｃ、変調部１２１−１〜Ｃ、ＤＦＴ部１２２−１〜Ｌ、クリッピング部１２３−１〜Ｔ、マッピング部１２４−１〜Ｔ、ＩＦＦＴ部１２５−１〜Ｔ、参照信号多重部１２７−１〜Ｔ、送信処理部１２８−１〜Ｔ、及び送信アンテナ１２９−１〜Ｔが行う処理は、それぞれ、符号化部１２０、変調部１２１、ＤＦＴ部１２２、クリッピング部１２３、マッピング部１２４、ＩＦＦＴ部１２５、参照信号多重部１２７、送信処理部１２８、及び送信アンテナ１２９と同一であるため説明を省略する。
【００９３】
制御情報受信部１００は、受信装置より通知された制御情報を受信し、該制御情報のうち符号化率情報を符号化部１２０−１〜Ｃへ、変調方式情報を変調部１２１−１〜Ｃへ、ランク情報をレイヤマッピング部１３０ａへ、割当情報をクリッピング／離散配置切替部１１及びマッピング部１２４へそれぞれ出力する。
レイヤマッピング部１３０ａは、変調部１２１−１〜Ｃより入力された変調信号を、制御情報受信部１００はより入力されたランク情報が示すランクＬに応じて、各レイヤにマッピングする。レイヤマッピング部１３０ａは、レイヤｌ（ｌ＝１〜Ｌ）にマッピングした変調信号を、ＤＦＴ部１２２−ｌへ出力する。
【００９４】
プリコーディング部１３１ａは、ランク情報が示すランクＬが送信装置１ａの送信アンテナ数Ｔを下回る場合には、ＤＦＴ部１２２−１〜Ｌより入力された信号に対して、予め定義されたプリコーディング行列を乗算する。図１３に、プリコーディング行列の一例を示す。ここでは、送信アンテナ数が２の場合を一例として示している。Ｎｕｍｂｅｒ  ｏｆ  ｌａｙｅｒｓ  υがレイヤ数すなわちランクであり、１の場合は、２本の送信アンテナを用いて１ストリーム、２の場合は２ストリームの信号を送信する。Ｃｏｄｅｂｏｏｋ  ｉｎｄｅｘは、移動局装置にどの行列を使用するかを通知する際のインデックスである。ただし用意されるプリコーディング行列の候補は図１３に限らず、異なる数のプリコーディング行列が用意されてもよい。
ここでは、ランク１のプレコーディング行列を使用する場合を説明する。ランク１では、次式のように１ストリームの送信信号に対して図１３で表されるプレコーディング行列ｗを乗算して送信するため、ｋ番目の周波数における受信信号は、次式（７）のように表される。
【００９５】
【数７】
2012175335.tif 000009
【００９６】
ただし、Ｓ（ｋ）は、ｋ番目の周波数領域の複素数で表される送信信号の振幅、η（ｋ）は隣接セルからの干渉を含む雑音、Ｒ（ｋ）は受信信号の振幅、ｗは図１３で表されるレイヤ数１のプレコーディング行列から選択されたいずれか１つの行列である。また、ｈ（ｋ）は１×２で表される伝搬路行列であり、次式（８）で表される。
【００９７】
【数８】
2012175335.tif 000010
【００９８】
ただし、ｈ１（ｋ）は第１の送信アンテナから受信アンテナへのｋ番目の周波数の複素数で表される伝搬路特性、ｈ２（ｋ）はｋ番目の周波数の複素数で表される第２の送信アンテナから受信アンテナへの伝搬路特性である。したがって、このように表されるｋ番目の周波数の電力利得は、次式（９）のように表される。
【００９９】
【数９】
2012175335.tif 000011
【０１００】
ただし、Ｐ（ｋ）はｋ番目の周波数における実数で表される送信信号に対する電力利得を表す。受信装置は式（３）に基づいて、周波数割当を決定する。
【０１０１】
図１２に戻って、プリコーディング部１３１ａは、プリコーディングを行った信号のうち送信アンテナ１２９−ｔ（ｔ＝１〜Ｔ）に配置する信号を、クリッピング部１２３−ｔに出力する。これにより、無線通信システムでは、複数の送信アンテナ間でダイバーシチ効果を得ることができる。
一方、プリコーディング部１３１ａは、ランク情報が示すランクＬが送信装置１ａの送信アンテナ数Ｔが同じ又は上回る場合には、ＤＦＴ部１２２−ｌより入力された信号をクリッピング部１２３−ｌに出力する。
参照信号生成部１２６は、複数の送信アンテナから送信された参照信号を受信装置において分離可能となるよう生成した後、参照信号多重部１２７−１〜Ｃへ出力する。
【０１０２】
［受信装置の構成］
図１４は、本変形例に係る受信装置２ａの構成の一例を示す概略ブロック図である。受信装置２ａは、スケジューリング部２００、制御情報生成部２０１、制御情報送信部２０２、クリッピング／離散配置判定部２１、バッファ２２０、受信アンテナ２２１−１〜Ｒ、受信処理部２２２−１〜Ｒ、参照信号分離部２２３−１〜Ｒ、ＦＦＴ部２２４−１〜Ｒ、伝搬路推定部２２５、デマッピング部２２６−１〜Ｒ、伝搬路乗算部２３０、キャンセル部２３１−１〜Ｒ、ＭＩＭＯ分離／合成部２３２ａ、ＩＤＦＴ部２３３−１〜Ｌ、レイヤデマッピング部２３８ａ、復調部２３４−１〜Ｃ、復号部２３５−１〜Ｃ、レプリカ生成部２３６、ＤＦＴ部２３７−１〜Ｌ、判定部２４０−１〜Ｃを備える。ここで、Ｒは受信装置が備える受信アンテナ数を示す。また、破線内のブロックにおいては送信装置１ａ毎に処理が行われ、各々の送信したデータが受信データとして復元される。
スケジューリング部２００、制御情報生成部２０１、制御情報送信部２０２、クリッピング／離散配置判定部２１、バッファ２２０、受信アンテナ２２１−１〜Ｒ、受信処理部２２２−１〜Ｒ、参照信号分離部２２３−１〜Ｒ、ＦＦＴ部２２４−１〜Ｒ、デマッピング部２２６−１〜Ｒ、キャンセル部２３１−１〜Ｒ、ＩＤＦＴ部２３３−１〜Ｌ、復調部２３４−１〜Ｃ、復号部２３５−１〜Ｃ、ＤＦＴ部２３７−１〜Ｌ、判定部２４０−１〜Ｃがが行う処理は、それぞれ、スケジューリング部２００、制御情報生成部２０１、制御情報送信部２０２、クリッピング／離散配置判定部２１、バッファ２２０、受信アンテナ２２１、受信処理部２２２、参照信号分離部２２３、ＦＦＴ部２２４、デマッピング部２２６、キャンセル部２３１、ＩＤＦＴ部２３３、復調部２３４、復号部２３５、ＤＦＴ部、判定部２４０と同一であるため説明を省略する。
【０１０３】
伝搬路推定部２２５は、参照信号分離部２２３−ｒ（ｒ＝１〜Ｒ）より入力された受信アンテナ２２１−ｒ毎の参照信号とバッファ２２０より入力された割当情報を用いて、送信装置１ａの各送信アンテナ１２９−１〜Ｔから受信装置２ａの各受信アンテナ２２１−１〜Ｒに到る伝搬路の周波数応答の推定値（伝搬路推定値）を算出する。伝搬路推定部２２５は、送信装置１毎に、バッファ２２０より入力された判定値ｋｃｌｉｐの値が「０」であるか、「１」であるかを判定し、判定結果に応じて、次の処理を行う。
判定値ｋｃｌｉｐの値が「０」の場合、伝搬路推定部２２５は、算出した伝搬路推定値の伝搬行列を示す情報を、ＭＩＭＯ分離／合成部２３２ａ及び伝搬路乗算部２３０へ出力する。伝搬行列とは、送信アンテナ１２９−ｔから受信アンテナ２２１−ｒに到る伝搬路推定値をｒ行ｔ列に持つ、行列である。
一方、判定値ｋｃｌｉｐの値が「１」の場合、伝搬路推定部２２５は、バッファ２２０より入力された割当情報を用いて、クリッピング位置（クラスタ間リソース）に相当する周波数応答をゼロとした伝搬路推定値の伝搬行列を示す情報を、ＭＩＭＯ分離／合成部２３２ａ及び伝搬路乗算部２３０へ出力する。つまり、受信装置２は、判定値ｋｃｌｉｐの値が「１」の場合、周波数クリッピングされたスペクトルが周波数応答が皆無であった為に欠落したとみなし受信処理を行う。
【０１０４】
伝搬路乗算部２３０は、ＤＦＴ部２３７−１〜Ｌから入力されたレイヤ毎のレプリカ信号に対し、伝搬路推定部２２５から入力された伝搬路推定値を乗算することで、各受信アンテナ２２１−ｒのレプリカ信号を生成する。伝搬路乗算部２３０は、生成した受信アンテナ２２１−ｒのレプリカ信号を、キャンセル部２３１−ｒへ出力する。
ＭＩＭＯ分離／合成部２３２ａは、キャンセル部２３１−１〜Ｒより入力された信号、伝搬路推定部２２５より入力された情報が示す伝搬行列、及びレプリカ生成部２３６より入力されたソフトレプリカを用いて、レイヤ毎の信号の復元・合成を行う。ＭＩＭＯ分離／合成部２３２ａは、復元・合成後のレイヤｌの信号をＩＤＦＴ部２３３−ｌへ出力する。
【０１０５】
レイヤデマッピング部２３８ａは、ＩＤＦＴ部２３３−ｌより入力された信号に、及びレプリカ生成部２３６より入力されたレイヤｌのソフトレプリカを加算することで、各レイヤｌの希望信号を復元する。レイヤデマッピング部２３８ａは、復元したレイヤｌの信号（希望信号）を、レイヤマッピング部１３０ａと逆のマッピングをすることで、コードワードｃ（ｃ＝１〜Ｃ）毎の信号に分離する。レイヤデマッピング部２３８ａは、分離後のコードワードｃの信号を、復調部２３４−ｃへ出力する。
レプリカ生成部２３６は、復号部２３５より入力されたビット系列に対して、送信装置１ａの符号化部１２０、変調部１２１、レイヤマッピング部１３０ａと同じ処理を行うことで、レイヤ１〜Ｌのソフトレプリカを生成する。レプリカ生成部２３６は、生成したレイヤ１〜Ｌのソフトレプリカをレイヤデマッピング部２３８ａへ出力し、レイヤｌのソフトレプリカをＤＦＴ部２３７−ｌへ出力する。
【０１０６】
このように、本実施形態では、無線通信システムが、ＭＩＭＯ伝送による通信を行う場合でも、周波数クリッピングを行うか否かを示す情報を送信しなくても、周波数クリッピングを行うか否かを判定でき、伝送効率の低減を防止しつつ、周波数クリッピングを行うことができる。
【０１０７】
（第２の実施形態）
以下、図面を参照しながら本発明の第２の実施形態について詳しく説明する。
第２の実施形態に係る無線通信システムでは、送信装置１ｂと受信装置２ｂの双方で既知の情報を用いて、クリッピング率の閾値Ｒｌｉｍｉｔを変更する。ここで、双方における既知の情報とは、送信装置１ｂ及び受信装置２ｂ間で通知される制御情報のうち、変調方式及び誤り訂正符号の符号化率の組み合わせを示すＭＣＳに基づいて閾値を決定する場合について説明する。しかし、本発明はこれに限らず、他の情報に基づいて、閾値Ｒｌｉｍｉｔを変更しても良い。また、送信装置１ｂ又は受信装置２ｂのいずれかあるいは両方は、クリッピング率の閾値Ｒｌｉｍｉｔを示す情報を、通信相手に通知しても良い。
【０１０８】
上記第１の実施形態において、無線通信システムでは、閾値Ｒｌｉｍｉｔの一例として、式（２）を満たす閾値Ｒｌｉｍｉｔを用いることを説明した。ここで、離散配置を用いた場合のフレーム誤り率の期待値Ｅ（ＦＥＲＤ）、及びクリッピング率Ｒｃｌｉｐのクリッピングを用いた場合のフレーム誤り率の期待値Ｅ（ＦＥＲＣ（Ｒｃｌｉｐ））は、変調方式や誤り訂正の符号化率等の通信パラメータによって異なる値をとる。特に、クリッピングを用いた際のフレーム誤り率は、高い変調方式や符号化率を用いた際に、ターボ等化技術において使用されるレプリカの信頼性が低下するため、クリッピングされたスペクトルの復元が難しくなり、離散配置における誤り率に比べ劣化は大きくなることもある。
第２の実施形態では、無線通信システムでは、許容されるクリッピング率、すなわち離散配置とクリッピングを切り替える閾値Ｒｌｉｍｉｔを多値の変調方式や高い符号化率であるほど低い値に設定する。
【０１０９】
閾値Ｒｌｉｍｉｔの設定基準の一例としては、ＭＣＳインデックスＩＭＣＳを用いた際に、クリッピングによるフレーム誤り率の劣化量が一定値以内となるようなクリッピング率を用いて良い。すなわちＭＣＳをＩＭＣＳ、クリッピング率をＲｃｌｉｐの時に、許容されるフレーム誤り率ＦＥＲａｌｌｏｗを満たすための所要ＳＮＲをＳＮＲ（ＦＥＲａｌｌｏｗ，ＩＭＣＳ，Ｒｃｌｉｐ）とすると次式（１０）により、Ｒｌｉｍｉｔは設定される。
【０１１０】
【数１０】
2012175335.tif 000012
【０１１１】
ここで、Ｄは許容される所要ＳＮＲの劣化量であり、予め定められた値であるが、必要に応じて任意の値が設定されて良い。また、送信装置１ｂ又は受信装置２ｂのいずれかあるいは両方は、このＤを、クリッピング率の閾値Ｒｌｉｍｉｔを、通信相手に通知しても良い。
【０１１２】
また、閾値Ｒｌｉｍｉｔの設定基準の別の一例としては、ＭＣＳインデックスＩＭＣＳを用いた際に、クリッピングによるスループットの期待値が離散配置によるスループットの期待値より良好となるようなクリッピング率を用いても良い。ただし、最適なＭＣＳがクリッピングを用いた場合と離散配置を用いた場合で異なることを想定し、ＭＣＳ＝ＩＭＣＳを用いて周波数クリッピングを行った際のスループットの期待値が任意のＭＣＳを用いて離散配置を行った際のスループットより良好となるようなクリッピング率をＭＣＳがＩＭＣＳである場合の閾値Ｒｌｉｍｉｔと定めても良い。
【０１１３】
図１５は、本発明の第２の実施形態に係る閾値テーブルの一例を示す概略図である。閾値テーブルは、ＭＣＳインデックスＩＭＣＳと閾値Ｒｌｉｍｉｔを対応させたテーブルである。
図１５において、値が０〜２のＩＭＣＳは、変調方式ＱＰＳＫに対応しており、それぞれ誤り訂正の符号化率を１／２、２／３、３／４とする場合のインデックスである。
値が３〜４のＩＭＣＳは、調方式１６ＱＡＭに対応しており、それぞれ誤り訂正の符号化率を１／２、２／３、３／４とする場合のインデックスである。この６つのＭＣＳインデックス０〜５に対し、閾値Ｒｌｉｍｉｔが与えられ、それぞれ０．３、０．２５、０．２、０．１、０．０５、０としている。
例えば、変調方式がＱＰＳＫで符号化率１／２であるＩＭＣＳ＝０である場合は、Ｒｌｉｍｉｔ＝０．３となりクリッピング率が０．３以内であれば周波数クリッピングが許容されることになる。また、例えば、変調方式が１６ＱＡＭで符号化率３／４であるＩＭＣＳ＝５である場合は、Ｒｌｉｍｉｔ＝０となり周波数クリッピングが許容されないことになる。
【０１１４】
図１５は、ＩＭＣＳインデックスの値が大きくなるほど閾値Ｒｌｉｍｉｔの値が小さくなることを示し、ＩＭＣＳインデックスの値が小さくなるほど閾値Ｒｌｉｍｉｔの値が大きくなることを示す。また、図１５は、変調シンボルが多くなるほど閾値Ｒｌｉｍｉｔの値が小さくなることを示し、変調シンボルが少なくなるほど閾値Ｒｌｉｍｉｔの値が大きくなることを示す。また、図１５は、符号化率が大きくなるほど閾値Ｒｌｉｍｉｔの値が小さくなることを示し、符号化率が小さくなるほど閾値Ｒｌｉｍｉｔの値が大きくなることを示す。
【０１１５】
［送信装置の構成］
図１６は、本実施形態に係る送信装置１ｂの構成の一例を示す概略ブロック図である。送信装置１ｂは、図５の送信装置１のクリッピング／離散配置切替部１１がクリッピング／離散配置切替部１１ｂに代わっている点が異なる。具体的には、クリッピング／離散配置切替部１１ｂには、制御情報受信部１００より割当情報に加えてＭＣＳ情報が入力される。図１６の送信装置１ｂにおいて、その他の構成については図５の送信装置１と同一の処理が行われるため、同一の符号を付し、その処理の説明を省略する。
【０１１６】
図１７は、本実施形態に係るクリッピング／離散配置切替部１１ｂの構成の一例を示す概略ブロック図である。クリッピング／離散配置切替部１１ｂは、閾値決定部１１２ｂ、割当判定部１１０ｂ、クリッピング判定部１１１ｂを備える。
【０１１７】
閾値決定部１１２ｂは、図１１に示すようなＭＣＳのインデックス（ＩＭＣＳ）と閾値（Ｒｌｉｍｉｔ）を対応させた閾値テーブルを記憶する。閾値決定部１１２ｂは、記憶する閾値テーブルと図１２の制御情報受信部１００より入力されたＭＣＳ情報に基づいて閾値Ｒｌｉｍｉｔ（ＩＭＣＳ）を決定し、決定した閾値Ｒｌｉｍｉｔ（ＩＭＣＳ）をクリッピング判定部１１１ｂへ出力する。
割当判定部１１０ｂは、図６の割当判定部１１０と同様の処理を行うので、説明は省略する。
【０１１８】
クリッピング判定部１１１ｂは、図６のクリッピング判定部１１１と同様に、図７に示すフローチャートの処理を行うことにより周波数クリッピングを行うか否かの判定を行う。ただし、クリッピング判定部１１１ｂは、図７のステップＳ１０３で閾値Ｒｌｉｍｉｔに代えて、閾値決定部１１２ｂより入力されたＲｌｉｍｉｔ（ＩＭＣＳ）を用いる。
具体的には、クリッピング判定部１１１ｂは、以下の動作を行うこととなる。クリッピング判定部１１１ｂは、割当リソース数Ｎａｌｌｏｃとクラスタ間リソース数Ｎｉｎｔを割当判定部１１０ｂより取得した後、周波数クリッピングを行った場合のクリッピング率Ｒｃｌｉｐを式（１）により算出する。
【０１１９】
クリッピング判定部１１１ｂは、Ｒｃｌｉｐ＞Ｒｌｉｍｉｔ（ＩＭＣＳ）（クリッピング率が閾値を超過）となる場合、及びＲｃｌｉｐ＝０（割当が連続配置）となる場合には周波数クリッピングを行わないものと判定する。この場合、クリッピング判定部１１１ｂは、ＤＦＴサイズＮＤＦＴにＮａｌｌｏｃの値を代入し、クリッピング数Ｎｃｌｉｐに「０」を代入する。
クリッピング判定部１１１ｂは、その他の場合には周波数クリッピングを行うものと判定し、ＤＦＴサイズＮＤＦＴをＮａｌｌｏｃ＋Ｎｉｎｔの値を代入し、クリッピング数ＮｃｌｉｐにＮｉｎｔの値を代入する。
クリッピング判定部１１１ｂは、ＤＦＴサイズＮＤＦＴを示すＤＦＴサイズ情報をＤＦＴ部１２２へ出力し、クリッピング数Ｎｃｌｉｐをクリッピング部１２３へ出力して処理を終了する。ただし、ＤＦＴ部１２２への出力とクリッピング部１２３への出力との順序は、逆としても良い。
クリッピング／離散配置切替部１１ｂは、以上の様な処理を行うことにより、ＭＣＳ毎に異なる閾値を用いて離散配置による伝送と周波数クリッピングによる伝送を適切に切り替えることが可能となる。
【０１２０】
［受信装置の構成］
図１８は、本実施形態に係る受信装置２ｂの構成の一例を示す概略ブロック図である。破線で囲まれる個所は同様の処理が送信装置１ｂ毎に並行して行われることを示している。
破線内の構成（ブロック）においては送信装置１ｂ毎に処理が行われ、送信装置１ｂ各々の送信したデータが受信データとして復元される。
受信装置２ｂは、図８の受信装置２がさらにＭＣＳ決定部２０３ｂを備え、クリッピング／離散配置判定部２１がクリッピング／離散配置判定部２１ｂに代わっている点で異なる。図１８の受信装置２ｂにおいて、その他の構成については図８の受信装置２と同一の処理が行われるため、同一の符号を付し、その処理の説明を省略する。
【０１２１】
ＭＣＳ決定部２０３ｂは、スケジューリング部２００より入力された割当情報と伝搬路特性に基づいて、対応する送信装置１ｂが伝送に使用する帯域におけるＳＩＮＲ（Ｓｉｇｎａｌ  ｔｏ  Ｉｎｔｅｒｆｅｒｅｎｃｅ  ａｎｄ  Ｎｏｉｓｅ  ｐｏｗｅｒ  Ｒａｔｉｏ）を推定する。ＭＣＳ決定部２０３ｂは、推定したＳＩＮＲに基づいて、伝送に最適な変調方式及び符号化率、すなわちＭＣＳを決定する。ＭＣＳ決定部２０３ｂは、決定したＭＣＳを表すＭＣＳインデックスＩＭＣＳを、クリッピング／離散配置判定部２１ｂ及び制御情報生成部２０１へ出力する。
【０１２２】
クリッピング／離散配置判定部２１ｂは、スケジューリング部２００より入力された割当情報に基づいてＤＦＴサイズを示すＤＦＴサイズ情報を生成し、生成したＤＦＴサイズ情報をＩＤＦＴ部２３３およびＤＦＴ部２３７へ出力する。クリッピング／離散配置判定部２１ｂは、スケジューリング部２００より入力された割当情報、及びＭＣＳ決定部より入力されたＭＣＳインデックスＩＭＣＳを用いて、送信装置１ｂ各々からの受信信号が周波数クリッピングを行ったものであるか否かを判定する。クリッピング／離散配置判定部２１ｂは、判定結果の判定値ｋｃｌｉｐをバッファ２２０へ出力する。
【０１２３】
図１９は、本実施形態に係るクリッピング／離散配置判定部２１ｂの構成の一例を示す概略ブロック図である。クリッピング／離散配置判定部２１ｂは、割当判定部２１０ｂ、クリッピング判定部２１１ｂ、閾値決定部２１２ｂを備える。
割当判定部２１０ｂは、図９の割当判定部２１０と同一の機能を有する。割当判定部２１０は、算出したＮａｌｌｏｃ、Ｎｉｎｔを示す情報をクリッピング判定部１１１へ出力する。
閾値決定部１１２ｂは、図１４の送信装置の閾値決定部１１２ｂと同一の閾値テーブル（図１５）を記憶する。閾値決定部１１２ｂは、記憶する閾値テーブルとＭＣＳ決定部２０３ｂより入力されたＭＣＳインデックスＩＭＣＳに基づいて閾値Ｒｌｉｍｉｔ（ＩＭＣＳ）を決定し、決定した閾値Ｒｌｉｍｉｔ（ＩＭＣＳ）をクリッピング判定部１１１へ出力する。
【０１２４】
クリッピング判定部２１１ｂは、図９のクリッピング判定部２１１と同様に、図１０に示すフローチャートの処理を行うことにより、送信装置１ｂ各々からの受信信号が周波数クリッピングを行ったものであるか否かを判定する。ただし、クリッピング判定部２１１ｂは、図１０のステップＳ１０３で閾値Ｒｌｉｍｉｔに代えて、閾値決定部１１２ｂより入力されたＲｌｉｍｉｔ（ＩＭＣＳ）を用いる。
具体的には、クリッピング判定部２１１ｂは、以下の動作を行うこととなる。クリッピング判定部２１１ｂは、割当リソース数Ｎａｌｌｏｃとクラスタ間リソース数Ｎｉｎｔを割当判定部２１０ｂより取得した後、周波数クリッピングを行った場合のクリッピング率Ｒｃｌｉｐを式（１）により算出する。
【０１２５】
クリッピング判定部２１１ｂは、Ｒｃｌｉｐ＞Ｒｌｉｍｉｔ（ＩＭＣＳ）（クリッピング率が閾値を超過）となる場合、及びＲｃｌｉｐ＝０（割当が連続配置）となる場合には周波数クリッピングを行わないものと判定する。この場合、クリッピング判定部２１１ｂは、判定値ｋｃｌｉｐに「０」を代入し、ＤＦＴサイズＮＤＦＴにＮａｌｌｏｃの値を代入し、クリッピング数Ｎｃｌｉｐに「０」を代入する。
クリッピング判定部２１１ｂは、その他の場合には周波数クリッピングを行うものと判定し、判定値ｋｃｌｉｐに「１」を代入し、ＤＦＴサイズＮＤＦＴにＮａｌｌｏｃ＋Ｎｉｎｔの値を代入し、クリッピング数ＮｃｌｉｐにＮｉｎｔの値を代入する。
【０１２６】
クリッピング判定部２１１ｂは、ＤＦＴサイズＮＤＦＴを示すＤＦＴサイズ情報をＤＦＴ部１２２へ出力し、判定値ｋｃｌｉｐ及びクリッピング数Ｎｃｌｉｐをクリッピング部１２３へ出力して処理を終了する。ただし、ＤＦＴ部１２２への出力とクリッピング部１２３への出力との順序は、逆としても良い。
クリッピング／離散配置切替部１１ｂは、以上の様な処理を行うことにより、ＭＣＳ毎に異なる閾値を用いて離散配置による伝送と周波数クリッピングによる伝送を適切に切り替えることが可能となる。
【０１２７】
なお、第２の実施形態においても、変形例１と同様に、最大クラスタ数を３以上とした場合に、クリッピング率Ｒｃｌｉｐを式（６）により算出してもよい。これにより、無線通信システムでは、最大クラスタ数を３以上とした場合でも、離散配置による伝送と周波数クリッピングによる伝送を適切に切り替えることが可能となる。
【０１２８】
［変形例３］
以上では、ＭＣＳの値によって、周波数クリッピングを行うか否かを決定する閾値Ｒｌｉｍｉｔを設定する場合について説明をしたが、ＭＣＳの様に伝送品質に影響を与える情報が用いることで同様の効果を得ることができる。さらに、送信装置と受信装置の双方で既知である情報を用いて、閾値Ｒｌｉｍｉｔを設定することで制御情報の増加を防止し、伝送効率を低下させずに離散配置による伝送と周波数クリッピングによる伝送を切り替えることが可能となる。
【０１２９】
変形例３として、ＭＩＭＯ伝送においては同時に送信を行うストリーム数を示す情報であるランクに応じて閾値を変更する場合について説明する。ＭＩＭＯ伝送においては送信アンテナ数よりランクの値が小さい場合、同時に送信可能なストリーム数がランクの値に制限される。一方で、送信装置においては、プリコーディング処理を適用することが可能となり、送信ダイバーシチ効果により誤り率が改善される。よって、送信アンテナ数に対してランクが低い値であるほどクリッピング率が高い場合でも信号の復元が可能となる。
本変形例に係る無線通信システムでは、送信アンテナ数に対してランクが低い値であるほど周波数クリッピングにおけるクリッピング率の閾値を高く設定する。
【０１３０】
図２０は、変形例３に係る閾値テーブルの一例を示す概略図である。閾値テーブルは、ランクＬと閾値Ｒｌｉｍｉｔを対応させた閾値テーブルである。この閾値テーブルは、本実施形態に係る送信装置１ｃが備えるアンテナ数が４本（ランクの最大値を４）の場合の一例である。閾値テーブルでは、Ｌ＝１である場合に閾値Ｒｌｉｍｉｔ＝０．４であり、Ｌ＝２の場合にＲｌｉｍｉｔ＝０．３５、Ｌ＝３の場合にＲｌｉｍｉｔ＝０．２８、そしてＬ＝４の場合にＲｌｉｍｉｔ＝０．２である。
図２０は、ランクＬの値が小さくなるほど閾値Ｒｌｉｍｉｔの値が小さくなることを示し、ランクＬの値が大きくなるほど閾値Ｒｌｉｍｉｔの値が大きくなることを示す。
【０１３１】
ただし、送信装置１ｃ及び受信装置２ｃは、各ランクにおいて設定される閾値の値を、必要となる伝送品質に応じて設定しても良い。例えば、この様なテーブルを送信装置１ｃ及び受信装置２ｃの双方に備え、制御情報としてランク情報を受信装置２ｃから送信装置１ｃに通知することで、周波数クリッピングを適用する際の閾値に同じ値を設定することができる。
【０１３２】
［送信装置の構成］
図２１は、本変形例に係る送信装置１ｃの構成の一例を示す概略ブロック図である。送信装置１ｃは、図１２の送信装置１ｂのクリッピング／離散配置切替部１１ｂがクリッピング／離散配置切替部１１ｃに代わっている点が異なる。具体的には、クリッピング／離散配置切替部１１ｃには、制御情報受信部１００より割当情報に加えてランク情報が入力される。図２１の送信装置１ｃにおいて、その他の構成については図１２の送信装置１ｂと同一の処理が行われるため、同一の符号を付し、その処理の説明を省略する。
【０１３３】
図２２は、本変形例に係るクリッピング／離散配置切替部１１ｃの構成の一例を示す概略ブロック図である。クリッピング／離散配置切替部１１ｃは、閾値決定部１１２ｃ、割当判定部１１０ｃ、クリッピング判定部１１１ｃを備える。
閾値決定部１１２ｃは、図２０に示すようなランク（Ｌ）と閾値（Ｒｌｉｍｉｔ）を対応させた閾値テーブルを記憶する。閾値決定部１１２ｃは、記憶する閾値テーブルと図２１の制御情報受信部１００より入力されたランク情報に基づいて閾値Ｒｌｉｍｉｔ（Ｌ）を決定し、決定した閾値Ｒｌｉｍｉｔ（Ｌ）をクリッピング判定部１１１ｃへ出力する。
割当判定部１１０ｃは、図６の割当判定部１１０と同様の処理を行うので、説明は省略する。
【０１３４】
クリッピング判定部１１１ｃは、図６のクリッピング判定部１１１と同様に、図７に示すフローチャートの処理を行うことにより周波数クリッピングを行うか否かの判定を行う。ただし、クリッピング判定部１１１ｃは、図７のステップＳ１０３で閾値Ｒｌｉｍｉｔに代えて、閾値決定部１１２ｃより入力されたＲｌｉｍｉｔ（Ｌ）を用いる。
具体的には、クリッピング判定部１１１ｃは、以下の動作を行うこととなる。クリッピング判定部１１１ｃは、割当リソース数Ｎａｌｌｏｃとクラスタ間リソース数Ｎｉｎｔを割当判定部１１０ｃより取得した後、周波数クリッピングを行った場合のクリッピング率Ｒｃｌｉｐを式（１）により算出する。
【０１３５】
クリッピング判定部１１１ｃは、Ｒｃｌｉｐ＞Ｒｌｉｍｉｔ（Ｌ）（クリッピング率が閾値を超過）となる場合、及びＲｃｌｉｐ＝０（割当が連続配置）となる場合には周波数クリッピングを行わないものと判定する。この場合、クリッピング判定部１１１ｃは、ＤＦＴサイズＮＤＦＴにＮａｌｌｏｃの値を代入し、クリッピング数Ｎｃｌｉｐに「０」を代入する。
クリッピング判定部１１１ｃは、その他の場合には周波数クリッピングを行うものと判定し、ＤＦＴサイズＮＤＦＴをＮａｌｌｏｃ＋Ｎｉｎｔの値を代入し、クリッピング数ＮｃｌｉｐにＮｉｎｔの値を代入する。
クリッピング判定部１１１ｃは、ＤＦＴサイズＮＤＦＴを示すＤＦＴサイズ情報をＤＦＴ部１２２へ出力し、クリッピング数Ｎｃｌｉｐをクリッピング部１２３へ出力して処理を終了する。ただし、ＤＦＴ部１２２への出力とクリッピング部１２３への出力との順序は、逆としても良い。
クリッピング／離散配置切替部１１ｃは、以上の様な処理を行うことにより、ランク毎に異なる閾値を用いて離散配置による伝送と周波数クリッピングによる伝送を適切に切り替えることが可能となる。
【０１３６】
［受信装置の構成］
図２３は、本変形例に係る受信装置２ｃの構成の一例を示す概略ブロック図である。破線で囲まれる個所は同様の処理が送信装置１ｃ毎に並行して行われることを示している。
破線内の構成（ブロック）においては送信装置１ｃ毎に処理が行われ、送信装置１ｃ各々の送信したデータが受信データとして復元される。
受信装置２ｃは、図１４の受信装置２ａがさらにランク決定部２０３ｃを備え、クリッピング／離散配置判定部２１ａがクリッピング／離散配置判定部２１ｃに代わっている点で異なる。図２３の受信装置２ｃにおいて、その他の構成については図１４の受信装置２ａと同一の処理が行われるため、同一の符号を付し、その処理の説明を省略する。
【０１３７】
ランク決定部２０３ｃは、スケジューリング部２００より入力された割当情報と伝搬路特性に基づいて、対応する送信装置１ｃが伝送に使用する帯域におけるＳＩＮＲ（Ｓｉｇｎａｌ  ｔｏ  Ｉｎｔｅｒｆｅｒｅｎｃｅ  ａｎｄ  Ｎｏｉｓｅ  ｐｏｗｅｒ  Ｒａｔｉｏ）を推定する。ランク決定部２０３ｃは、推定したＳＩＮＲに基づいて、伝送に最適な変調方式及び符号化率、すなわちランクＬを決定する。ＭＣＳ決定部２０３ｂは、決定したランクＬを示すランク情報を、クリッピング／離散配置判定部２１ｃ及び制御情報生成部２０１へ出力する。
【０１３８】
クリッピング／離散配置判定部２１ｃは、スケジューリング部２００より入力された割当情報に基づいてＤＦＴサイズを示すＤＦＴサイズ情報を生成し、生成したＤＦＴサイズ情報をＩＤＦＴ部２３３へ出力する。クリッピング／離散配置判定部２１ｃは、スケジューリング部２００より入力される割当情報、及びランク決定部より入力されるランク情報が示すランクＬを用いて、送信装置１ｃ各々からの受信信号が周波数クリッピングを行ったものであるか否かを判定する。クリッピング／離散配置判定部２１ｃは、判定結果の判定値ｋｃｌｉｐをバッファ２２０へ出力する。
【０１３９】
図２４は、本変形例に係るクリッピング／離散配置判定部２１ｃの構成の一例を示す概略ブロック図である。クリッピング／離散配置判定部２１ｃは、割当判定部２１０ｃ、クリッピング判定部２１１ｃ、閾値決定部２１２ｃを備える。
割当判定部２１０ｃは、図９の割当判定部２１０と同一の機能を有する。割当判定部２１０ｃは、算出したＮａｌｌｏｃ、Ｎｉｎｔを示す情報をクリッピング判定部１１１へ出力する。
閾値決定部２１２ｃは、図１４の送信装置の閾値決定部１１２ｃと同一の閾値テーブル（図１５）を記憶する。閾値決定部２１２ｃは、記憶する閾値テーブルとＭＣＳ決定部２０３ｂより入力されたランク情報が示すランクＬに基づいて閾値Ｒｌｉｍｉｔ（Ｌ）を決定し、決定した閾値Ｒｌｉｍｉｔ（Ｌ）をクリッピング判定部１１１へ出力する。
【０１４０】
クリッピング判定部２１１ｃは、図９のクリッピング判定部２１１と同様に、図１０に示すフローチャートの処理を行うことにより、送信装置１ｃ各々からの受信信号が周波数クリッピングを行ったものであるか否かを判定する。ただし、クリッピング判定部２１１ｃは、図１０のステップＳ１０３で閾値Ｒｌｉｍｉｔに代えて、閾値決定部２１２ｃより入力されたＲｌｉｍｉｔ（Ｌ）を用いる。
具体的には、クリッピング判定部２１１ｃは、以下の動作を行うこととなる。クリッピング判定部２１１ｃは、割当リソース数Ｎａｌｌｏｃとクラスタ間リソース数Ｎｉｎｔを割当判定部２１０ｃより取得した後、周波数クリッピングを行った場合のクリッピング率Ｒｃｌｉｐを式（１）により算出する。
【０１４１】
クリッピング判定部２１１ｃは、Ｒｃｌｉｐ＞Ｒｌｉｍｉｔ（Ｌ）（クリッピング率が閾値を超過）となる場合、及びＲｃｌｉｐ＝０（割当が連続配置）となる場合には周波数クリッピングを行わないものと判定する。この場合、クリッピング判定部２１１ｃは、判定値ｋｃｌｉｐに「０」を代入し、ＤＦＴサイズＮＤＦＴにＮａｌｌｏｃの値を代入し、クリッピング数Ｎｃｌｉｐに「０」を代入する。
クリッピング判定部２１１ｃは、その他の場合には周波数クリッピングを行うものと判定し、判定値ｋｃｌｉｐに「１」を代入し、ＤＦＴサイズＮＤＦＴをＮａｌｌｏｃ＋Ｎｉｎｔの値を代入し、クリッピング数ＮｃｌｉｐにＮｉｎｔの値を代入する。
【０１４２】
クリッピング判定部２１１ｃは、ＤＦＴサイズＮＤＦＴを示すＤＦＴサイズ情報をＤＦＴ部１２２へ出力し、判定値ｋｃｌｉｐ及びクリッピング数Ｎｃｌｉｐをクリッピング部１２３へ出力して処理を終了する。ただし、ＤＦＴ部１２２への出力とクリッピング部１２３への出力との順序は、逆としても良い。
クリッピング／離散配置切替部１１ｃは、以上の様な処理を行うことにより、ランク毎に異なる閾値を用いて離散配置による伝送と周波数クリッピングによる伝送を適切に切り替えることが可能となる。
【０１４３】
以上、本実施形態によれば、離散配置とクリッピング技術が共存する無線通信システムを実現することができ、かつ送信装置と受信装置で既知の情報を用いることにより、クリッピングと離散配置を適切に切り替え、スループットを改善することができる。
ただし、本実施形態では、例としてＭＣＳにより閾値を定める場合、及び変形例としてＭＩＭＯ伝送におけるランクにより閾値を定める場合を示したが、これらの閾値決定法は組み合わされても同様の効果を得ることができる。すなわち周波数クリッピングを行うかを判定する為の閾値はＭＣＳ及びランクの２つの情報から決定されて良い。
【０１４４】
（第３の実施形態）
以下、図面を参照しながら本発明の第３の実施形態について詳しく説明する。
上記各実施形態では、最大クラスタ数を２とし、２つのクラスタのクラスタ間に対して周波数クリッピングを行った場合のクリッピング率が定められた閾値以下となる場合にのみクリッピング処理を行う場合の一例を説明した。また、一例として、最大クラスタ数を３以上とした場合における同様の処理を行う場合について説明した。
本実施形態では、最大クラスタ数が３以上である場合において、無線通信システムが、一部のスペクトルで周波数クリッピングを行い、他のスペクトルでは周波数クリッピングを行わずに離散配置する場合について説明する。以下の一例では、最大クラスタ数が３以上である場合において、無線通信システムは、帯域幅が最も狭いクラスタ間のみに対し周波数クリッピングを適用することを想定しクリッピングと離散配置を切り替える。
これにより、無線通信システムでは、クラスタの分割数が多い場合、通常システム帯域の広範囲にわたって分散的に割り当てられることからクラスタ間の全てを周波数クリッピングした場合にクリッピング率が高くなり、閾値を超えることで周波数クリッピングが適用されない場合が増加することを防止できる。本実施形態に係る無線通信システムでは、周波数クリッピングを行うか否かをスペクトル全体で判定する場合と比較して、周波数クリッピングを行うと判定する場合が多くなる場合もあり、伝送効率を増加できる。
【０１４５】
最大クラスタ数をＮＣＬとした場合、送信装置１ｄ及び受信装置２ｄでは、割当情報を用いて各クラスタの割当開始位置Ｉｓｔａｒｔ（ｎ）とＩｅｎｄ（ｎ）（ただし１≦ｎ≦ＮＣＬ）が認識される。この時、ｎ番目のクラスタの帯域幅Ｎ（ｎ）はＮ（ｎ）＝Ｉｅｎｄ（ｎ）−Ｉｓｔａｒｔ（ｎ）＋１（ただし１≦ｎ≦ＮＣＬ）で表わされ、クラスタリソース数の合計Ｎａｌｌｏｃは次式（１１）で表わされる。
【０１４６】
【数１１】
2012175335.tif 000013
【０１４７】
また、ｎ番目のクラスタとｎ＋１番目のクラスタ間の帯域幅Ｎｉｎｔ（ｎ）はＮｉｎｔ（ｎ）＝Ｉｅｎｄ（ｎ＋１）−Ｉｓｔａｒｔ（ｎ）−１（ただし１≦ｎ≦ＮＣＬ−１）で表わされる。ここで、ＮＣＬ−１個のＮｉｎｔ（ｎ）のうち値が最小のものをｍｉｎ（Ｎｉｎｔ（ｎ））で表すと、最も帯域の狭いクラスタ間のみを周波数クリッピングした場合のＤＦＴサイズはＮａｌｌｏｃ＋ｍｉｎ（Ｎｉｎｔ（ｎ））となる。また、周波数クリッピング後の割当リソース数はＮａｌｌｏｃであることから、クリッピング率Ｒｃｌｉｐは次式（１２）で表わされる。
【０１４８】
【数１２】
2012175335.tif 000014
【０１４９】
送信装置１ｄ及び受信装置２ｄは、算出したＲｃｌｉｐと予め記憶している閾値Ｒｌｉｍｉｔを比較し、比較の結果が「Ｒｌｉｍｉｔ＜Ｒｃｌｉｐ」であった場合には、離散配置に対する処理を行うことを決定する。送信装置１ｄ及び受信装置２ｄは、比較の結果が「Ｒｌｉｍｉｔ≧Ｒｃｌｉｐ」であった場合には、一部のスペクトルで周波数クリッピングに対する処理、他のスペクトルで離散配置に対する処理を行うことを決定する。
ただし、本実施形態に係る無線通信システムでは、周波数クリッピングはクラスタ間が最も狭い帯域にのみ適用されるものとし、その他のクラスタ間についてはスペクトルの生成・配置は行わず離散配置を行う。また、無線通信システムでは、クラスタ間の帯域幅が最小となるものが複数存在する場合には、あらかじめ定義されていれば該複数のクラスタ間のうち周波数の低い帯域を周波数クリッピングに用いても良いし、周波数の高い帯域を周波数クリッピングに用いても良い。ただし、どちらのクラスタ間を周波数クリッピングに用いるかの定義は、送信装置１ｄと受信装置２ｄで共通に定められている。
【０１５０】
図２５は、本発明の第３の実施形態に係るスペクトルの配置の一例を示す概略図である。  図２５は、周波数クリッピングと離散配置の切り替えにおける一例を示す。
図２５では、帯域幅がそれぞれＮ（１）＝３ＲＢＧ、Ｎ（２）＝２ＲＢＧ、Ｎ（３）＝４ＲＢＧである第１〜第３のクラスタが存在する。また、図２５では、第１のクラスタと第２のクラスタのクラスタ間の帯域幅はＮｉｎｔ（１）＝１ＲＢＧ、第２のクラスタと第３のクラスタの帯域幅をＮｉｎｔ（２）＝３ＲＢＧである。
【０１５１】
クラスタ間の帯域幅のうち最小のものはＮｉｎｔ（１）であるため、クリッピングする帯域幅は１ＲＢＧとしてクリッピング率Ｒｌｉｍｉｔを算出する。ここでＤＦＴにより生成される周波数領域信号の帯域幅は、割当帯域幅の合計であるＮ（１）＋Ｎ（２）＋Ｎ（３）＝３＋２＋４＝９（ＲＢＧ）にクリッピング帯域幅１ＲＢＧを加えた１０ＲＢＧとなり、式（１２）よりＲｌｉｍｉｔ＝１／１０＝０．１となる。よってあらかじめ定められた閾値が０．１以上であった場合は１ＲＢＧのクリッピングが行われ、閾値が０．１未満であった場合には周波数クリッピングを行わずに離散配置のみが行われる。
【０１５２】
［送信装置の構成］
本実施形態における送信装置１ｄでは、クリッピング／離散配置切替部１１ｄ以外の構成が、第１の実施形態における図５の送信装置１の構成と同じである。以下では、クリッピング／離散配置切替部１１ｄについて説明し、それ以外の構成については説明を省略する。
クリッピング／離散配置切替部１１ｄは、制御情報受信部１００より入力された割当情報に基づいてＤＦＴサイズを示すＤＦＴサイズ情報を生成し、生成したＤＦＴサイズ情報をＤＦＴ部１２２に出力する。クリッピング／離散配置切替部１１は、制御情報受信部１００より入力された割当情報に基づいてクリッピング制御情報を生成し、生成したクリッピング制御情報をクリッピング部１２３に出力する。
【０１５３】
図２６は、本実施形態に係るクリッピング／離散配置切替部１１ｄの構成の一例を示す概略ブロック図である。クリッピング／離散配置切替部１１ｄは、割当判定部１１０ｄ、クリッピング判定部１１１ｄを備える。
割当判定部１１０ｄは、離散配置の割当情報と判定した場合には、制御情報受信部１００より入力された割当情報から全クラスタの合計リソース数Ｎａｌｌｏｃ（式（１１））と、複数のクラスタ間リソース数Ｎｉｎｔ（ｎ）のうち最小値をとるＮｉｎｔ（ｎｍｉｎ）＝ｍｉｎ（Ｎｉｎｔ（ｎ））を算出する。割当判定部１１０ｄは、連続配置の割当情報と判定した場合には、その割当情報に含まれる２つの割当インデックス情報を用いて、Ｎａｌｌｏｃ＝Ｉ１  ｅｎｄ−Ｉ１  ｓｔａｒｔ＋１を算出し、Ｎｉｎｔ＝０とする。
割当判定部１１０ｄは、算出したＮａｌｌｏｃ、Ｎｉｎｔを示す情報をクリッピング判定部１１１へ出力する。  
【０１５４】
また、割当判定部１１０はｄ、次式（１３）を用いて、インデックスＮｓｔａｒｔを算出する。割当判定部１１０ｄは、算出したＮｓｔａｒｔを示す情報をクリッピング部１２３へ出力する。  
【０１５５】
【数１３】
2012175335.tif 000015
【０１５６】
クリッピング判定部１１１ｄは、図６のクリッピング判定部１１１と同様に、図７に示すフローチャートの処理を行うことにより周波数クリッピングを行うか否かの判定を行う。ただし、クリッピング判定部１１１ｄは、図７のステップＳ１０２で、式（１２）を用いて、クリッピング率Ｒｃｌｉｐを算出する。また、クリッピング判定部１１１ｄは、図７のステップＳ１０３で、式（１２）を用いて算出したクリッピング率Ｒｃｌｉｐを用いる。
【０１５７】
［受信装置の構成］
本実施形態における受信装置２ｄでは、クリッピング／離散配置判定部２１ｄ以外の構成が、第１の実施形態における図８の受信装置２の構成と同じである。以下では、クリッピング／離散配置判定部２１ｄについて説明し、それ以外の構成については説明を省略する。
【０１５８】
図２７は、本実施形態に係るクリッピング／離散配置判定部２１ｄの構成の一例を示す概略ブロック図である。クリッピング／離散配置判定部２１ｄは、割当判定部２１０ｄ、クリッピング判定部２１１ｄを備える。
割当判定部２１０ｄは、図８のスケジューリング部２００より入力された割当情報を用いて、図２６における割当判定部１１０ｄと同じ式を用いて、Ｎａｌｌｏｃ及びＮｉｎｔ（ｎｍｉｎ）を算出する。割当判定部２１０ｄは、算出したＮａｌｌｏｃ、Ｎｉｎｔ（ｎｍｉｎ）を示す情報をクリッピング判定部１１１ｄへ出力する。
【０１５９】
クリッピング判定部２１１ｄは、図９のクリッピング判定部２１１と同様に、図１０に示すフローチャートの処理を行うことにより、送信装置１ｄ各々からの受信信号の一部又は全部が周波数クリッピングを行ったものであるか否かを判定する。ただし、クリッピング判定部２１１ｄは、図１０のステップＳ２０２で、式（１２）を用いて、クリッピング率Ｒｃｌｉｐを算出する。また、クリッピング判定部２１１ｄは、図１０のステップＳ２０３で、式（１２）を用いて算出したクリッピング率Ｒｃｌｉｐを用いる。
【０１６０】
具体的には、クリッピング判定部２１１ｄは、以下の動作を行うこととなる。クリッピング判定部２１１ｄは、割当リソース数Ｎａｌｌｏｃとクラスタ間リソース数Ｎｉｎｔ（ｎｍｉｎ）を割当判定部２１０ｄより取得した後、周波数クリッピングを行った場合のクリッピング率Ｒｃｌｉｐを式（１２）により算出する。
【０１６１】
クリッピング判定部２１１ｄは、Ｒｃｌｉｐ＞Ｒｌｉｍｉｔ（クリッピング率が閾値を超過）となる場合、及びＲｃｌｉｐ＝０（割当が連続配置）となる場合には周波数クリッピングを行わないものと判定する。この場合、クリッピング判定部２１１ｄは、判定値ｋｃｌｉｐに「０」を代入し、ＤＦＴサイズＮＤＦＴにＮａｌｌｏｃ＋Ｎｉｎｔ（ｎｍｉｎ）の値を代入し、クリッピング数ＮｃｌｉｐにＮｉｎｔ（ｎｍｉｎ）を代入する。
【０１６２】
クリッピング判定部２１１ｄは、その他（Ｒｃｌｉｐ＞Ｒｌｉｍｉｔ以外）の場合には周波数クリッピングを行うものと判定し、判定値ｋｃｌｉｐに「１」を代入し、ＤＦＴサイズＮＤＦＴにＮａｌｌｏｃ＋Σn Ｎｉｎｔ（ｎ）の値を代入し、クリッピング数ＮｃｌｉｐにΣn Ｎｉｎｔ（ｎ）の値を代入する。なお、Σn Ｎｉｎｔ（ｎ）は、すべてのｎについてＮｉｎｔ（ｎ）の和を取ることを表す。
クリッピング判定部２１１ｄは、ＤＦＴサイズＮＤＦＴを示すＤＦＴサイズ情報をＤＦＴ部２３７へ出力し、判定値ｋｃｌｉｐ及びクリッピング数Ｎｃｌｉｐをクリッピング部１２３へ出力して処理を終了する。ただし、ＤＦＴ部２３７への出力とクリッピング部１２３への出力との順序は、逆としても良い。
【０１６３】
このように、本実施形態によれば、離散配置と周波数クリッピングが共存する無線通信システムを実現することができ、無線通信システムでは、複数クラスタの割当情報を用いたクリッピング処理において過剰なクリッピング率が設定されることなく、適切に離散配置と周波数クリッピングを切り替えることが可能である。
【０１６４】
なお、上記第３の実施形態では、割当情報が示す複数のクラスタ間のうち帯域が最も狭いクラスタ間のリソースのみにスペクトルの割当及びクリッピング処理を行う場合について説明したが、本発明はこれに限らない。例えば、第３の実施形態の変形例として、無線通信システムは、複数のクラスタ間のうち帯域の狭い２つ、もしくは２つより多いクラスタ間のリソースにクリッピングを適用してもよい。
なお、上記各実施形態において、インデックスは無線リソースを割当可能な帯域内で、周波数の低い順に何番目の割当単位であるかを示す値とした。しかし、本発明はこれに限らず、インデックスは、周波数の高い順に何番目の割当単位（リソース）であるかを示す値としてもよいし、順序付けをしなくてもよい。
【０１６５】
また、上記各実施形態において、復号部２３５は、繰り返し処理の繰り返し回数（予め定められた回数Ｍ）を、送信装置１毎に異なった値に決定しても良いし、周波数クリッピングが行われたか否か（判定値ｋｃｌｉｐの値）に応じて異なった値に決定しても良い。例えば、復号部２３５は、回数Ｍを、判定値ｋｃｌｉｐの値が「１」の場合より、判定値ｋｃｌｉｐの値が「０」の場合の方が大きい値に決定しても良いし、小さい値に決定しても良い。例えば、前者の場合には、受信装置２は、周波数クリッピングが行われた場合に、行われない場合と比較して多くの回数、繰り返し処理を行うこととなる。また、復号部２３５は、回数Ｍを、クリッピング数Ｎｃｌｉｐに応じて決定してもよい。例えば、復号部２３５は、クリッピング数Ｎｃｌｉｐの値が大きい場合は、クリッピング数Ｎｃｌｉｐの値が小さい場合と比較して、回数Ｍを大きな値に決定しても良い。
【０１６６】
また、上記各実施形態において、送信装置及び受信装置の一部又は全部の構成を、中継局装置に備えてもよい。
また、上記各実施形態において、無線通信システムでは、連続配置の場合に、２つのインデックス情報（Ｉ１  ｓｔａｒｔ、Ｉ１  ｅｎｄ）を使用する場合について説明したが、本発明はこれに限られない。例えば、無線通信システムでは、ｎ個のクラスタがある場合に、２ｎ個のインデックス情報を使用し、連続配置の場合には、２個のインデックス（例えば、Ｉ１  ｓｔａｒｔ、Ｉ１  ｅｎｄ）以外のインデックスを、予め定めた値（例えば「０」）としてもよい。この場合、無線通信システムの各装置は、２個のインデックス（例えば、Ｉ１  ｓｔａｒｔ、Ｉ１  ｅｎｄ）以外のインデックスがすべて予め定めた値（例えば「０」）である場合に、連続配置と判定し、それ以外の場合には、離散配置と判定する。また、各装置は、連続配置か離散配置かを示す情報を通知し、その情報に基づいて、連続配置か離散配置かを判定してもよい。
【０１６７】
また、上記各実施形態において、クリッピング部１２３は、予め定義されていればクリッピング位置をＮ１に依らず、スペクトルの定められた位置としても良い。例えば、入力された周波数領域信号の高い周波数成分からＮｉｎｔ個のリソースに相当するスペクトルを削除しサイズＮａｌｌｏｃの周波数領域信号として出力してよい。
なお、上記各実施形態において、送信装置１は、ＩＦＦＴ後の時間領域信号と参照信号を多重しているが、本発明はこれに限らず、周波数領域で多重しても良く、例えば、ＩＦＦＴ前の周波数領域信号と参照信号を多重しても良い。
【０１６８】
なお、上記各実施形態では、クリッピングの判定を行った後にバッファ２２０に保管する場合について説明したが、本発明はこれに限らず、受信装置２は、スケジューリング部２００より出力された割当情報をバッファ２２０に保管し、バッファ２２０から出力された割当情報によりクリッピング判定部２１１により判定を行っても良い。また、クリッピング／離散配置判定部２１における機能はデマッピング部２２６及び伝搬路推定部２２５が有し、バッファ２２０には割当情報のみが保管されても良い。
【０１６９】
また、上記第３の実施形態において、送信装置１ｄ及び受信装置２ｄは、算出したＲｃｌｉｐと予め記憶している閾値Ｒｌｉｍｉｔを比較し、比較の結果が「Ｒｌｉｍｉｔ≧Ｒｃｌｉｐ」であった場合には、一部のスペクトル（例えば、クラスタ間の帯域幅が最小又は最大となる前後のクラスタのスペクトル）で離散配置に対する処理と、他のスペクトルで周波数クリッピングに対する処理を行ってもよい。
例えば、送信装置１ｄ及び受信装置２ｄは、算出したＲｃｌｉｐと予め記憶している閾値Ｒｌｉｍｉｔを比較し、比較の結果が「Ｒｌｉｍｉｔ＜Ｒｃｌｉｐ」であった場合には、一部のスペクトルで周波数クリッピングに対する処理、他のスペクトルで離散配置に対する処理を行うことを決定する。送信装置１ｃ及び受信装置２ｃは、比較の結果が「Ｒｌｉｍｉｔ≧Ｒｃｌｉｐ」であった場合には、周波数クリッピングを行うことを決定する。
【０１７０】
なお、上述した実施形態における送信装置１、１ａ、１ｂ、１ｃ、１ｄ、受信装置２、２ａ、２ｂ、２ｃ、２ｄの一部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、送信装置１、１ａ、１ｂ、１ｃ、１ｄ又は受信装置２、２ａ、２ｂ、２ｃ、２ｄに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における送信装置１、１ａ、１ｂ、１ｃ、１ｄ及び受信装置２、２ａ、２ｂ、２ｃ、２ｄの一部、又は全部を、ＬＳＩ（Ｌａｒｇｅ  Ｓｃａｌｅ  Ｉｎｔｅｇｒａｔｉｏｎ）等の集積回路として実現しても良い。送信装置１、１ａ、１ｂ、１ｃ、１ｄ及び受信装置２、２ａ、２ｂ、２ｃ、２ｄの各機能ブロックは個別にプロセッサ化してもよいし、一部、又は全部を集積してプロセッサ化しても良い。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いても良い。
【０１７１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１７２】
１、１−１、１−２、１ａ、１ａ−１、１ａ−２、１ｂ、１ｃ、１ｄ・・・送信装置、２、２ａ、２ｂ、２ｃ、２ｄ・・・受信装置、１００・・・制御情報受信部、１１、１１ｂ、１１ｃ、１１ｄ・・・クリッピング／離散配置切替部、１２０、１２０−１〜Ｃ・・・符号化部、１２１、１２１−１〜Ｃ・・・変調部、１２２、１２２−１〜Ｌ・・・ＤＦＴ部、１２３、１２３−１〜Ｔ・・・クリッピング部、１２４、１２４−１〜Ｔ・・・マッピング部、１２５、１２５−１〜Ｔ・・・ＩＦＦＴ部、１２６・・・参照信号生成部、１２７、１２７−１〜Ｔ・・・参照信号多重部、１２８、１２８−１〜Ｔ・・・送信処理部、１２９、１２９−１〜Ｔ・・・送信アンテナ、１３０ａ・・・レイヤマッピング部、１３１ａ・・・プリコーディング部、１１０、１１０ｂ、１１０ｃ、１１０ｄ・・・割当判定部、１１１、１１１ｂ、１１１ｃ、１１１ｄ・・・クリッピング判定部、１１２ｂ、１１２ｃ・・・閾値決定部、・・・、２００・・・スケジューリング部、２０１・・・制御情報生成部、２０２・・・制御情報送信部、２０３ｂ・・・ＭＣＳ決定部、２０３ｃ・・・ランク決定部、２１、２１ｂ、２１ｃ、２１ｄ・・・クリッピング／離散配置判定部、２２０・・・バッファ、２２１、２２１−１〜Ｒ・・・受信アンテナ、２２２、２２２−１〜Ｒ・・・受信処理部、２２３、２２３−１〜Ｒ・・・参照信号分離部、２２４、２２４−１〜Ｒ・・ＦＦＴ部、２２５・・・伝搬路推定部、２２６、２２６−１〜Ｒ・・・デマッピング部、２３０・・・伝搬路乗算部、２３１、２３１−１〜Ｒ・・・キャンセル部、２３２・・・等化部、２３２ａ・・・ＭＩＭＯ分離／合成部、２３３、２３３−１〜Ｌ・・・ＩＤＦＴ部、２３４、２３４−１〜Ｃ・・・復調部、２３５、２３５−１〜Ｃ・・・復号部、２３６・・・レプリカ生成部、２３７、２３７−１〜Ｌ・・・ＤＦＴ部、２３８ａ・・・レイヤデマッピング部、２４０、２４０−１〜Ｃ・・・判定部、２１０、２１０ｂ、２１０ｃ、２１０ｄ・・・割当判定部、２１１、２１１ｂ、２１１ｃ、２１１ｄ・・・クリッピング判定部、２１２ｂ、２１２ｃ・・・閾値決定部
【図１】
2012175335.tif 000016
【図２】
2012175335.tif 000017
【図３】
2012175335.tif 000018
【図４】
2012175335.tif 000019
【図５】
2012175335.tif 000020
【図６】
2012175335.tif 000021
【図７】
2012175335.tif 000022
【図８】
2012175335.tif 000023
【図９】
2012175335.tif 000024
【図１０】
2012175335.tif 000025
【図１１】
2012175335.tif 000026
【図１２】
2012175335.tif 000027
【図１３】
2012175335.tif 000028
【図１４】
2012175335.tif 000029
【図１５】
2012175335.tif 000030
【図１６】
2012175335.tif 000031
【図１７】
2012175335.tif 000032
【図１８】
2012175335.tif 000033
【図１９】
2012175335.tif 000034
【図２０】
2012175335.tif 000035
【図２１】
2012175335.tif 000036
【図２２】
2012175335.tif 000037
【図２３】
2012175335.tif 000038
【図２４】
2012175335.tif 000039
【図２５】
2012175335.tif 000040
【図２６】
2012175335.tif 000041
【図２７】
2012175335.tif 000042